(57)【要約】【課題】情報の送受信を、直感的に、かつ容易に行うことができるようにする。【解決手段】画像１２Ａのデータを表すシンボル１３の白黒のパターンは、表示部１１の１フレームの走査毎に切り替わり、画像１２Ａのデータ全体を表す期間だけ連続して表示される。情報処理端末２１においては、リーダライタ２４により読み取られたシンボル１３に基づいて、画像１２Ａのデータが取得される。反対に、情報処理端末２１から表示装置１にデータを転送するとき、転送するデータを表すシンボルがリーダライタ２４から出力され、それが、表示部１１の所定の位置に形成された読み取り領域により読み取られる。表示装置１においては、読み取られたシンボルに基づいて、データが取得される。本発明は、パーソナルコンピュータ、PDA、テレビジョン受像機などの各種の情報処理装置に適用できる。【選択図】図１
2005266427.tif 000002
【特許請求の範囲】
【請求項１】
印加される電圧に応じて導通、非導通を切り替えるとともに、受光することに応じて信号を出力するトランジスタが各画素に配置された表示手段の駆動を制御する情報処理装置において、
前記トランジスタに印加する電圧を制御することで、各画素を表示駆動させるか、または受光駆動させるのかを制御する制御手段と、
前記制御手段による制御により受光駆動を行っている画素に配置されているトランジスタが受光することに応じて出力する信号に基づいて、外部からの入力を検出する検出手段と
を備えることを特徴とする情報処理装置。
【請求項２】
前記制御手段は、表示駆動させる画素に配置されたトランジスタに対して正方向の電圧を印加し、受光駆動させる画素に配置されたトランジスタに対して０Ｖ近傍の電圧を印加する
ことを特徴とする請求項１に記載の情報処理装置。
【請求項３】
前記表示手段の各画素に、前記トランジスタに接続され、前記トランジスタが導通しているとき発光する電界発光素子がさらに配置されている場合、
前記検出手段は、さらに、発光していない前記電界発光素子が受光することに応じて出力する信号にも基づいて、外部からの入力を検出する
ことを特徴とする請求項１に記載の情報処理装置。
【請求項４】
前記制御手段は、前記トランジスタに印加する電圧を制御することで、受光駆動を行う複数の画素からなる検出領域を前記表示手段に形成させる
ことを特徴とする請求項１に記載の情報処理装置。
【請求項５】
前記表示手段の表面から離れた位置にある物体を前記検出領域を構成する画素に結像させる結像手段をさらに備え、
前記検出手段は、前記結像手段により前記検出領域を構成する画素に結像された前記物体の像を外部からの入力として検出する
ことを特徴とする請求項４に記載の情報処理装置。
【請求項６】
前記検出手段は、前記検出領域を構成する画素に配置されているトランジスタが出力する信号に基づいて、他の情報処理装置において表示される所定のデータを表す図形画像を外部からの入力として検出する
ことを特徴とする請求項４に記載の情報処理装置。
【請求項７】
前記図形画像は、その１つにより所定のデータ量のデータが表される２次元コードである
ことを特徴とする請求項６に記載の情報処理装置。
【請求項８】
前記制御手段は、さらに、前記検出領域と異なる領域に、表示駆動を行う複数の画素からなる表示領域を前記表示手段に形成させる
ことを特徴とする請求項４に記載の情報処理装置。
【請求項９】
前記表示手段の各画素に、前記トランジスタに接続され、前記トランジスタが導通しているとき発光する電界発光素子がさらに配置されている場合、
前記制御手段は、前記表示領域を構成する画素に配置されている前記電界発光素子が発光することにより出射される所定の波長の光に対する受光感度が高い前記電界発光素子が配置される画素により前記検出領域が構成されるように、前記トランジスタに印加する電圧を制御する
ことを特徴とする請求項８に記載の情報処理装置。
【請求項１０】
他の情報処理装置に対して出力する所定のデータを表す図形画像を生成する生成手段と、
前記生成手段により生成された前記図形画像を前記表示領域を構成する画素により表示させる表示制御手段と
をさらに備えることを特徴とする請求項８に記載の情報処理装置。
【請求項１１】
前記制御手段は、前記表示領域の近傍に前記検出領域を形成させ、
前記検出手段は、前記検出領域を構成する画素に配置されているトランジスタが、前記表示領域を構成する画素から出射された光の反射光を受光することに応じて出力する信号に基づいて、外部からの入力を検出する
ことを特徴とする請求項８に記載の情報処理装置。
【請求項１２】
前記検出手段は、前記表示手段の表面に所定の物体が接触または近接されたことを外部からの入力として検出する
ことを特徴とする請求項１１に記載の情報処理装置。
【請求項１３】
前記制御手段は、さらに、前記表示領域を構成する画素とともに、前記検出領域を構成する画素の位置を順次移動させ、
前記検出手段は、前記検出領域を構成する画素に配置されるトランジスタが、前記表示領域を構成する画素から出射された光の反射光を受光することに応じて出力する信号に基づいて、前記表示手段の表面に接触または近接される物体の面情報を外部からの入力として検出する
ことを特徴とする請求項１１に記載の情報処理装置。
【請求項１４】
印加される電圧に応じて導通、非導通を切り替えるとともに、受光することに応じて信号を出力するトランジスタが各画素に配置された表示手段の駆動を制御する情報処理装置の情報処理方法において、
前記トランジスタに印加する電圧を制御することで、各画素を表示駆動させるか、または受光駆動させるのかを制御する制御ステップと、
前記制御ステップの処理による制御により受光駆動を行っている画素に配置されているトランジスタが受光することに応じて出力する信号に基づいて、外部からの入力を検出する検出ステップと
を含むことを特徴とする情報処理方法。
【請求項１５】
印加される電圧に応じて導通、非導通を切り替えるとともに、受光することに応じて信号を出力するトランジスタが各画素に配置された表示手段の駆動を制御する処理をコンピュータに実行させるプログラムが記録されている記録媒体において、
前記トランジスタに印加する電圧を制御することで、各画素を表示駆動させるか、または受光駆動させるのかを制御する制御ステップと、
前記制御ステップの処理による制御により受光駆動を行っている画素に配置されているトランジスタが受光することに応じて出力する信号に基づいて、外部からの入力を検出させる検出制御ステップと
を含むことを特徴とするコンピュータが読み取り可能なプログラムが記録されている記録媒体。
【請求項１６】
印加される電圧に応じて導通、非導通を切り替えるとともに、受光することに応じて信号を出力するトランジスタが各画素に配置された表示手段の駆動を制御する処理をコンピュータに実行させるプログラムにおいて、
前記トランジスタに印加する電圧を制御することで、各画素を表示駆動させるか、または受光駆動させるのかを制御する制御ステップと、
前記制御ステップの処理による制御により受光駆動を行っている画素に配置されたトランジスタが受光することに応じて出力する信号に基づいて、外部からの入力を検出させる検出制御ステップと
を含むことを特徴とするプログラム。
【発明の詳細な説明】
【技術分野】
【０００１】
本発明は、情報処理装置および方法、記録媒体、並びにプログラムに関し、特に、情報の送受信を、直感的に、かつ容易に行うことができるようにする情報処理装置および方法、記録媒体、並びにプログラムに関する。
【背景技術】
【０００２】
近年、タッチパネルなどを重畳して設けることなく、テレビジョン受像機などの表示装置に対して各種の情報を直接入力する技術が各種提案されている。
【０００３】
例えば、特許文献１には、表示装置（情報入出力装置）の内側から外側に向かって出射された赤外線の光量と、その反射光の光量に基づいて、ユーザの動作に対応する情報や、ユーザが提示したカードに表されている情報を検出させることが開示されている。これにより、ユーザは、マウスやキーボードを操作することなく、所定の情報を表示装置に入力することができる。
【０００４】
また、特許文献２には、表示装置を構成する素子である、光入力方式で書き込まれた情報に応じて発光表示が可能な有機EL素子について記載されている。
【特許文献１】特開平１１−５３１１１号公報（第５頁乃至第６頁、番号「００２８」乃至「００３０」の段落）
【特許文献２】特開平７−１７５４２０号公報
【発明の開示】
【発明が解決しようとする課題】
【０００５】
しかしながら、このように、ユーザの動作に対応する情報や、ユーザが提示したカードに表されている情報を検出させることで表示装置に情報を入力する場合、所定の時間内に入力できる情報の量に限界があるという課題があった。
【０００６】
また、表示装置に情報を入力するためには、近年急激に普及しつつあるIEEE(Institute of Electrical and Electronics Engineers)802.11a，または802.11bなどのいわゆる無線LAN(Local Area Network)や、Bluetooth（登録商標）により通信を行うモジュールを表示装置に設け、同様の通信モジュールが設けられている情報端末から、無線通信により表示装置に情報を入力（送信）することも考えられるが、通信を開始するまでの設定が煩雑であり、情報を容易に入力することができないという課題がある。
【０００７】
さらに、ユーザは、情報端末の画面上でデータの送信を指示するため、例えば、タッチパネルが設けられている表示装置に対して情報を直接入力する場合（表示部を直接押下する場合）に較べて、情報を直感的に入力することができない。
【０００８】
本発明はこのような状況に鑑みてなされたものであり、表示装置との間における情報の送受信を、直感的に、かつ容易に行うことができるようにするものである。
【課題を解決するための手段】
【０００９】
本発明の情報処理装置は、印加される電圧に応じて導通、非導通を切り替えるとともに、受光することに応じて信号を出力するトランジスタが各画素に配置された表示手段の駆動を制御する情報処理装置であって、トランジスタに印加する電圧を制御することで、各画素を表示駆動させるか、または受光駆動させるのかを制御する制御手段と、制御手段による制御により受光駆動を行っている画素に配置されているトランジスタが受光することに応じて出力する信号に基づいて、外部からの入力を検出する検出手段とを備えることを特徴とする。
【００１０】
制御手段は、表示駆動させる画素に配置されたトランジスタに対して正方向の電圧を印加し、受光駆動させる画素に配置されたトランジスタに対して０Ｖ近傍の電圧を印加するようにすることができる。
【００１１】
表示手段の各画素に、トランジスタに接続され、トランジスタが導通しているとき発光する電界発光素子がさらに配置されている場合、前記検出手段は、さらに、発光していない電界発光素子が受光することに応じて出力する信号にも基づいて、外部からの入力を検出するようにすることができる。
【００１２】
制御手段は、トランジスタに印加する電圧を制御することで、受光駆動を行う複数の画素からなる検出領域を表示手段に形成させるようにすることができる。
【００１３】
本発明の情報処理装置は、表示手段の表面から離れた位置にある物体を検出領域を構成する画素に結像させる結像手段をさらに備え、検出手段は、結像手段により検出領域を構成する画素に結像された物体の像を外部からの入力として検出するようにすることができる。
【００１４】
検出手段は、検出領域を構成する画素に配置されているトランジスタが出力する信号に基づいて、他の情報処理装置において表示される所定のデータを表す図形画像を外部からの入力として検出するようにすることができる。
【００１５】
図形画像は、その１つにより所定のデータ量のデータが表される２次元コードであるようにすることができる。
【００１６】
制御手段は、さらに、検出領域と異なる領域に、表示駆動を行う複数の画素からなる表示領域を表示手段に形成させるようにすることができる。
【００１７】
表示手段の各画素に、トランジスタに接続され、トランジスタが導通しているとき発光する電界発光素子がさらに配置されている場合、制御手段は、表示領域を構成する画素に配置されている電界発光素子が発光することにより出射される所定の波長の光に対する受光感度が高い電界発光素子が配置される画素により検出領域が構成されるように、トランジスタに印加する電圧を制御するようにすることができる。
【００１８】
本発明の情報処理装置は、他の情報処理装置に対して出力する所定のデータを表す図形画像を生成する生成手段と、生成手段により生成された図形画像を表示領域を構成する画素により表示させる表示制御手段とをさらに備えるようにすることができる。
【００１９】
制御手段は、表示領域の近傍に検出領域を形成させ、検出手段は、検出領域を構成する画素に配置されているトランジスタが、表示領域を構成する画素から出射された光の反射光を受光することに応じて出力する信号に基づいて、外部からの入力を検出するようにすることができる。
【００２０】
検出手段は、表示手段の表面に所定の物体が接触または近接されたことを外部からの入力として検出するようにすることができる。
【００２１】
制御手段は、さらに、表示領域を構成する画素とともに、検出領域を構成する画素の位置を順次移動させ、検出手段は、検出領域を構成する画素に配置されるトランジスタが、表示領域を構成する画素から出射された光の反射光を受光することに応じて出力する信号に基づいて、表示手段の表面に接触または近接される物体の面情報を外部からの入力として検出するようにすることができる。
【００２２】
本発明の情報処理方法は、印加される電圧に応じて導通、非導通を切り替えるとともに、受光することに応じて信号を出力するトランジスタが各画素に配置された表示手段の駆動を制御する情報処理装置の情報処理方法であって、トランジスタに印加する電圧を制御することで、各画素を表示駆動させるか、または受光駆動させるのかを制御する制御ステップと、制御ステップの処理による制御により受光駆動を行っている画素に配置されているトランジスタが受光することに応じて出力する信号に基づいて、外部からの入力を検出する検出ステップとを含むことを特徴とする。
【００２３】
本発明の記録媒体は、印加される電圧に応じて導通、非導通を切り替えるとともに、受光することに応じて信号を出力するトランジスタが各画素に配置された表示手段の駆動を制御する処理をコンピュータに実行させるプログラムが記録されている記録媒体であって、トランジスタに印加する電圧を制御することで、各画素を表示駆動させるか、または受光駆動させるのかを制御する制御ステップと、制御ステップの処理による制御により受光駆動を行っている画素に配置されているトランジスタが受光することに応じて出力する信号に基づいて、外部からの入力を検出させる検出制御ステップとを含むプログラム記録されていることを特徴とする。
【００２４】
本発明のプログラムは、印加される電圧に応じて導通、非導通を切り替えるとともに、受光することに応じて信号を出力するトランジスタが各画素に配置された表示手段の駆動を制御する処理をコンピュータに実行させるプログラムであって、トランジスタに印加する電圧を制御することで、各画素を表示駆動させるか、または受光駆動させるのかを制御する制御ステップと、制御ステップの処理による制御により受光駆動を行っている画素に配置されたトランジスタが受光することに応じて出力する信号に基づいて、外部からの入力を検出させる検出制御ステップとを含むことを特徴とする。
【００２５】
本発明の情報処理装置および方法、記録媒体、並びにプログラムにおいては、トランジスタに印加する電圧を制御することで、各画素を表示駆動させるか、または受光駆動させるのかが制御され、受光駆動を行っている画素に配置されているトランジスタが受光することに応じて出力する信号に基づいて、外部からの入力が検出される。
【発明の効果】
【００２６】
本発明によれば、表示と、外部からの入力の検出を行うことができる。
【００２７】
また、本発明によれば、より直感的な操作で、かつ、容易に、外部の機器からデータを取り込むことができるとともに、その外部の機器に対して、容易に、データを転送することができる。
【発明を実施するための最良の形態】
【００２８】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２９】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００３０】
請求項１に記載の情報処理装置（例えば、図１の表示装置１）は、印加される電圧に応じて導通、非導通を切り替えるとともに、受光することに応じて信号を出力するトランジスタが各画素に配置された表示手段の駆動を制御する情報処理装置であって、前記トランジスタに印加する電圧を制御することで、各画素を表示駆動させるか、または受光駆動させるのかを制御する制御手段（例えば、図３のコントローラ４８）と、前記制御手段による制御により受光駆動を行っている画素に配置されているトランジスタが受光することに応じて出力する信号に基づいて、外部からの入力を検出する検出手段（例えば、図３の検出部５３）とを備えることを特徴とする。
【００３１】
請求項３に記載の情報処理装置の表示手段の各画素に、前記トランジスタに接続され、前記トランジスタが導通しているとき発光する電界発光素子（例えば、図４のEL素子７４）がさらに配置されている場合、前記検出手段は、さらに、発光していない前記電界発光素子が受光することに応じて出力する信号にも基づいて、外部からの入力を検出することを特徴とする。
【００３２】
請求項５に記載の情報処理装置は、前記表示手段の表面から離れた位置にある物体の像を前記検出領域を構成する画素に結像させる結像手段（例えば、図５２のレンズ）をさらに備え、前記検出手段は、前記結像手段により前記検出領域を構成する画素に結像された前記物体の像を外部からの入力として検出することを特徴とする。
【００３３】
請求項９に記載の情報処理装置の前記表示手段の各画素に、前記トランジスタに接続され、前記トランジスタが導通しているとき発光する電界発光素子がさらに配置されている場合、前記制御手段は、前記表示領域を構成する画素に配置されている前記電界発光素子（例えば、緑近傍の光を出射する素子）が発光することにより出射される所定の波長の光に対する受光感度が高い前記電界発光素子（例えば、赤近傍の光を出射する素子）が配置される画素により前記検出領域が構成されるように、前記トランジスタに印加する電圧を制御することを特徴とする。
【００３４】
請求項１０に記載の情報処理装置は、他の情報処理装置に対して出力する所定のデータを表す図形画像（例えば、図９のシンボル）を生成する生成手段（例えば、図３のシンボル処理部５２）と、前記生成手段により生成された前記図形画像を前記表示領域を構成する画素により表示させる表示制御手段（例えば、図３の画像信号生成部４７）とをさらに備えることを特徴とする。
【００３５】
請求項１４に記載の情報処理方法は、印加される電圧に応じて導通、非導通を切り替えるとともに、受光することに応じて信号を出力するトランジスタが各画素に配置された表示手段の駆動を制御する情報処理装置の情報処理方法であって、トランジスタに印加する電圧を制御することで、各画素を表示駆動させるか、または受光駆動させるのかを制御する制御ステップ（例えば、図１５のステップＳ６１）と、前記制御ステップの処理による制御により受光駆動を行っている画素に配置されているトランジスタが受光することに応じて出力する信号に基づいて、外部からの入力を検出する検出ステップ（例えば、図１５のステップＳ６２）とを含むことを特徴とする。
【００３６】
請求項１５に記載の記録媒体に記録されているプログラム、および、請求項１６に記載のプログラムにおいても、各ステップが対応する実施の形態（但し一例）は、請求項１４に記載の情報処理方法と同様である。
【００３７】
以下、本発明の実施の形態について図を参照して説明する。
【００３８】
図１は、本発明を適用した情報処理システムの構成例を示す図である。
【００３９】
表示装置（情報処理装置）１の正面には、そのほぼ全体にわたって表示部１１が形成されている。表示部１１は、例えば、TFT(Thin Film Transistor)が各画素に配設された、有機または無機のEL(Electroluminescence)ディスプレイやLCD(Liquid Crystal Display)からなり、画素毎にその駆動を制御し、所定の図形や文字などの画像を表示する。
【００４０】
表示部１１に表示されているウインドウ１２には、動画像１２Ａが表示され、その右隅にマトリクス型の２次元コードであるシンボル１３が表示されている。
【００４１】
シンボル１３は、動画像１２Ａのデータを表す図形画像であり、例えば、表示部１１による１フレームの表示毎に、その白黒のパターンが切り替えられる。表示装置１は、動画像１２Ａのソースデータを取得したとき、そのソースデータを表す、複数のシンボル（２次元コード）からなるシンボル列を生成し、１フレームの表示毎に各シンボルを順次表示する。
【００４２】
従って、表示されるシンボルを検出し、それを解析することにより、シンボルを検出可能なリーダが設けられている機器は、表示部１１に表示されるシンボルを介してソースデータを取得することができる。
【００４３】
情報処理端末２１は、PDA(Personal Digital Assistants)やパーソナルコンピュータ、或いは、携帯電話機などから構成され、ケーブル２３を介して、表示装置１に表示されるシンボルを読み取り可能なリーダライタ２４が接続されている。先端面２４Ａが表示部１１に表示されているシンボル１３に当接されたとき、リーダライタ２４により、表示部１１に表示されるシンボル１３が読み取られる。
【００４４】
すなわち、リーダライタ２４は、表示部１１の表示周期に併せて、表示されるシンボル１３のパターンを所定の期間だけ検出する。リーダライタ２４により検出されたシンボルのデータは、ケーブル２３を介して情報処理端末２１に出力される。
【００４５】
情報処理端末２１は、リーダライタ２４から転送されたデータに基づいて、複数のシンボルが時系列的に並べられたシンボル列を取得し、さらに、取得したシンボル列からソースデータ（表示装置１により表示されている画像のソースデータ）を取得する。これにより、シンボル１３を介して、表示装置１から情報処理端末２１に対して、表示部１１に表示されている画像に対応するデータが転送されることになる。
【００４６】
例えば、６０Hzの周波数でプログレッシブ方式によりシンボルが順次表示され、かつ、１シンボルにより２KB（Byte）のデータが表される場合、９６０Kbps（６０（回／秒）×２（KB）×８（bit））の転送レートでデータが転送されることになる。
【００４７】
また、近年、４００Hzの周波数で高画質な映像を表示できるディスプレイなども開発されているが、そのように非常に短い周期で、１つで２KBのデータが表されるシンボルが順次表示された場合、６４００Kbps（４００（回／秒）×２（KB）×８（bit））の転送レートでデータが転送されることになる。
【００４８】
すなわち、IEEE(Institute of Electrical and Electronics Engineers)802.11a，802.11bなどのいわゆる無線LAN(Local Area Network)や、Bluetoothなどの無線通信によらずに、比較的高い転送レートでデータを送受信させることができる。
【００４９】
なお、１つのシンボルにより表されるデータ量は、その大きさや誤り訂正の方式などにより適宜変更可能である。また、１つのシンボルにより表されるデータ量と、表示部１１の表示周波数により、転送レートも適宜変更可能である。
【００５０】
情報処理端末２１においては、シンボル１３を介して表示装置１から転送されたデータが内部の記憶部に保存されたり、或いは、転送されてきたデータに基づいて、対応する画像が表示部２２に表示される。
【００５１】
従って、ユーザは、リーダライタ２４の先端面２４Ａを、表示されているシンボル１３に当接させるといった、非常に直感的な操作により、表示装置１から情報処理端末２１にデータを取り込ませることができる。
【００５２】
また、ユーザは、リーダライタ２４の先端面２４Ａを、表示部１１の所定の位置に形成された読み取り領域に当接させることで、上述したものと反対に、情報処理端末２１から表示装置１に対してデータを入力することができる。
【００５３】
例えば、図２に示されるように、表示部１１の右下に、表示装置１により読み取り領域３１が形成され、そこに当接されたリーダライタ２４から、シンボルを介してのデータの転送が行われる。
【００５４】
詳細については後述するが、表示部１１の各画素に配設されているTFTには、その画素により所定の画像の一部を表示させるとき、正方向のバイアス電圧が印加され、一方、その画素により、リーダライタ２４において出力されるシンボルを検出させるとき、０Ｖ近傍のバイアス電圧が印加される（ゲート電圧が０Ｖになるように制御される）。
【００５５】
従って、読み取り領域３１は、例えば、表示部１１の各画素のうち、０Ｖ近傍のバイアス電圧が印加された複数の画素から構成される。
【００５６】
そのように０Ｖ近傍のバイアス電圧が印加された画素（TFT）に対して、外部から光が入射されたとき（リーダライタ２４からシンボルの白黒のパターンを表す光が入射されたとき）、TFTの活性半導体層ではリーク電流が発生するため、読み取り領域３１を構成する各画素において検出されるリーク電流の有無に基づいて、各画素に対する、外部からの光の照射の有無が検出される。
【００５７】
すなわち、リーダライタ２４の内部に設けられているシンボル表示部１０４（図１０）にシンボルを表示させ、そのシンボルに対応する光が読み取り領域３１に照射されたとき、読み取り領域３１を構成する各画素において、光の有無、換言すれば、シンボルの白黒が検出される。
【００５８】
具体的には、リーダライタ２４内において表示されるシンボルのうち、黒色の部分が当接された読み取り領域３１の画素ではリーク電流が発生されず、一方、白色の部分が当接された画素ではリーク電流が発生され、それが検出される。
【００５９】
そして、読み取り領域３１の各画素における検出結果が合成され、リーダライタ２４内において表示された１つのシンボルが表示装置１により取得される。また、それが所定の期間繰り返されることで、リーダライタ２４内において表示されたシンボル列（情報処理端末２１から転送されてくるデータを表す全てのシンボル）が表示装置１に取り込まれる。表示装置１においては、情報処理端末２１により表示装置１に転送するものとして選択されたデータがシンボル列の解析により復元され、取得される。
【００６０】
これによりユーザは、表示部１１に表示されるシンボル１３にリーダライタ２４を当接させるだけで表示装置１から情報処理端末２１にデータを取り込むことができるとともに、リーダライタ２４を読み取り領域３１に当接させるだけで、情報処理端末２１において選択したデータを表示装置１に転送することができる。
【００６１】
すなわち、表示装置１と情報処理端末２１との間で無線LANやBluetoothにより通信を行い、データを送受信する場合に較べて、煩雑な設定を行うことなく、直感的な操作で、容易にデータを送受信させることができる。
【００６２】
なお、図２の例においては、表示部１１に形成される読み取り領域３１が点線で表されているが、ユーザが目視できるように、所定の大きさの枠画像が表示され、その枠の中に形成されるようにしてもよい。
【００６３】
また、図２の例においては、表示部１１のうち、読み取り領域３１以外の領域にはいずれの画像も表示されていないが、０Ｖ近傍のバイアス電圧が印加される読み取り領域３１以外の領域には、テレビジョン番組の映像などの各種の画像を表示させておくことが可能である。
【００６４】
表示装置１と情報処理端末２１との間で行われるデータの送受信については、フローチャートを参照して後に詳述する。
【００６５】
図３は、図１の表示装置１の構成例を示すブロック図である。
【００６６】
制御部４５は、図示せぬROM(Read Only Memory)などに記憶されている制御プログラムに基づいて表示装置１の全体の動作を制御し、例えば、所定のチャンネルの番組の映像を表示させたり、所定のサイトにアクセスし、そのサイトの画面を表示させるなど、リモートコントローラなどよりなる入力部４６からの、ユーザの指示に対応した処理を実行する。
【００６７】
信号処理部４２は、制御部４５による制御に基づいて、アンテナ４１において受信されるテレビジョン放送波の中から所定のチャンネルの信号を取得し、そのチャンネルにより放送される番組のデータを制御部４５に出力する。通信部４３は、インターネットなどのネットワークを介して、各種の機器と有線または無線により通信し、取得したデータを制御部４５に出力する。
【００６８】
記憶部４４は、ハードディスクなどより構成され、情報処理端末２１から転送されたデータ、テレビジョン番組の番組データ、通信部４３により取得されたデータなど、各種のデータを記憶する。
【００６９】
画像信号生成部４７は、制御部４５から供給されるデータに対応する画像を表示するための画像信号を生成し、生成した画像信号を、表示部１１の駆動を制御するコントローラ４８に出力する。
【００７０】
また、画像信号生成部４７は、シンボル処理部５２により生成され、供給されたデータに基づいて、例えば、１画面毎（１フレームの表示毎）に１つのシンボルを表示させるための画像信号を生成し、それをコントローラ４８に出力する。
【００７１】
コントローラ４８は、表示部１１の各画素に配設されるTFTのゲート電極に印加される電圧を制御するゲートドライバ５０、および、ゲートドライバ５０の駆動に連動して、TFTのソース電極−ドレイン電極間の電圧を制御するソースドライバ４９の駆動を制御する。
【００７２】
例えば、コントローラ４８は、表示部１１の所定の位置に読み取り領域を形成することが制御部４５から指示されたとき、読み取り領域を形成する画素（画素のTFT）には、０Ｖ近傍のバイアス電圧が印加されるようにゲートドライバ５０を制御するとともに、それ以外の領域には、正方向のバイアス電圧が印加されるようにゲートドライバ５０を制御する。
【００７３】
これにより、読み取り領域を形成する画素は、ゲートがオフにされた状態となり、上述したように、外部から照射される光に対応したリーク電流の有無に基づいて、リーダライタ２４において出力されているシンボルのパターンを検出することが可能となる。また、それ以外の画素は、ゲートがオンにされた状態となり、ソースドライバ４９により供給される電圧に対応する電流により、画素電極に接続されているEL素子を発光し、画像の一部を表示する。
【００７４】
ここで、図４および図５を参照して、表示部１１の各画素に配設されるTFTの動作についてより詳細に説明する。
【００７５】
図４は、画像を表示する画素（シンボルの読み取り領域を構成する画素ではない画素）としてコントローラ４８により制御された表示部１１の１画素を示している。
【００７６】
例えば、ゲートドライバ５０によりTFT７１のゲート電極７１Ａ（Ｇ）に正方向の電圧が印加され、オンにされたとき、実線矢印で示されるように、ソースドライバ４９により印加された電圧に応じて、アルファモスシリコンやポリシリコンからなる活性半導体層（チャネル）中を、ソース電極７１Ｂ（Ｓ）からドレイン電極７１Ｃ（Ｄ）方向に電流が流れる。
【００７７】
TFT７１のドレイン電極７１Ｃには、EL素子７４のアノード電極７４Ａが接続されており、ドレイン電極７１Ｃから供給された電流がEL素子７４間を流れたとき、その電流に応じて、電界発光素子であるEL素子７４が発光する。
【００７８】
このようにして発光された光が表示部１１の表面を透過して表示装置１の外部に出射され、図４の画素により画像の一部が表示される。なお、図４においては、説明の便宜上、EL素子７４から、白抜き矢印で示されるように図の右方向に光が出射されているが、実際には、アノード電極７４Ａまたはカソード電極７４Ｂのいずれかが透明電極により構成され、その透明電極を透過して、EL素子７４により発光された光が外部に出射される。
【００７９】
一方、ゲートドライバ５０によりTFT７１のゲート電極７１Ａ（Ｇ）に０Ｖ近傍の電圧が印加され、ゲートがオフにされたとき、ソースドライバ４９により電圧が印加された場合であっても活性半導体層中に電流が流れず、結果として、EL素子７４に電流が流れないため発光が生じない。
【００８０】
この状態において、図５の白抜き矢印で示されるように、外部から光が照射されたとき、TFT７１の活性半導体層の光伝導性により、微量ではあるがドレイン電極７１Ｃからソース電極７１Ｂ方向にリーク電流（オフ電流）が発生する。また、EL素子７４も、同様に、０Ｖ近傍の電圧が印加された状態において光が照射されたとき、発光することなく、逆方向の電流を発生する。
【００８１】
このようにして発生した電流が検出され、図５の画素に外部から光が照射されたこと、すなわち、図５の画素に対応するリーダライタ２４のシンボル表示部１０４（図１０）の位置（図５の画素の正面）には、シンボルの白の領域が表示されていることが検出される。
【００８２】
図６は、図４および図５に示される画素において発生された電流の計測結果を表している。図６において、横軸はゲート電極７１Ａに印加された電圧を表しており、縦軸は画素中の電流を表している。
【００８３】
計測結果ｌ１は、正方向の電圧が印加された状態において、光が照射されたときにチャネル中を流れた電流の値を示しており、計測結果ｌ２は、正方向の電圧が印加された状態において、光が照射されていないときにチャネル中を流れた電流の値を示している。
【００８４】
この計測結果ｌ１およびｌ２により、正方向の電圧が印加されている場合は、外部からの光の有無に関わらず、ソースドライバ４９により印加された電圧に応じた電流が流れていることがわかる。すなわち、この場合、計測対象の画素により、画像の一部が表示される。
【００８５】
一方、図６の計測結果ｌ３は、逆方向の電圧が印加されている状態において、外部から光が照射されたときに、その画素において発生したリーク電流の値を表しており、外部から光が照射されていないときの電流値を表す計測結果ｌ４と比較して明らかなように、発生する電流に差が生じている。
【００８６】
例えば、約−５ボルトの電圧（逆方向の電圧）が印加されている状態において、外部から所定の光量の光が照射された場合、「１Ｅ−８（Ａ）」程度の電流（TFTの活性半導体層中において発生した電流と、EL素子が発生した電流）が発生している。
【００８７】
従って、逆方向のバイアス電圧が印加された画素において検出される電流の値が、所定の閾値以上の値をとるか否かに基づいて、その画素に対して光が照射されたか否かが検出される。なお、実際には、図６の各信号がそれぞれ増幅され、増幅後の信号から、光の照射の有無が検出される。
【００８８】
図６においては、計測結果ｌ４により、外部から光が照射されていない場合であっても、「１Ｅ−１０（Ａ）」程度の微小な電流が発生していることが示されているが、これは計測中のノイズによるものである。なお、RGBのうちのいずれの色を発光するEL素子であっても、図６に示されるものとほぼ同一の計測結果が得られる。
【００８９】
図７は、図６の０Ｖ近傍を拡大して示す図である。
【００９０】
図７の計測結果ｌ３と計測結果ｌ４により示されるように、０Ｖ近傍の電圧が印加されている状態でも、光が照射されている場合と、照射されていない場合とで、その電流値に差が検出される。
【００９１】
従って、０Ｖ近傍の電圧が印加されている状態でも、発生した電流を増幅させることで、この差、すなわち、光が照射されているか否かの検出が可能となる。
【００９２】
このことから、意識的に逆方向の電圧を印加することなく、ゲート電圧が０Ｖ近傍の値になるように制御することで、ある画素を、外部からの入力を検出する画素として駆動させることができる。
【００９３】
ゲート電圧が０Ｖ近傍の値になるように制御して、ある画素を外部からの入力を検出する画素として駆動させるようにすることにより、逆方向の電圧を印加してその駆動を行わせる場合に較べて、その逆方向の電圧の分だけ消費電力を抑えることができる。
【００９４】
また、制御する電圧の数が少なくなるため、その制御、さらにはシステム構成が容易になる。すなわち、ゲート電圧が０Ｖ近傍の値になるように制御することは、正方向の電圧が印加されないように制御することでもあるから、正方向の電圧が印加されるようにゲート電圧を制御する制御線や電源回路だけをもって実現することができる（逆方向の電圧が印加されるようにゲート電圧を制御する制御線を別に設ける必要がない）。
【００９５】
これにより、表示部１１（ディスプレイ）の駆動基板やシステム基板上から電源回路の構成を簡略化することができ、上述したような低消費電力化を実現することができるだけでなく、それらの基板上の限られたスペースの効率的な利用も実現することができる。
【００９６】
さらに、逆方向の電圧を印加しないようにすることにより、逆方向の電圧を印加したときに生じることのあるTFTやEL素子の破壊を回避することができる。例えば、チャネル長（Ｌ長）を長くすることでTFTの耐電圧性を高めることができるが、この場合、ON時（導通時）の電流が下がってしまい、十分な電流を確保するためには、チャネル幅（Ｗ長）を大きくする必要がある。
【００９７】
この結果、TFTを流れる電流値を変えることなく耐電圧性を高めるためには、１つのTFTのサイズを大きくする必要があり、各画素のサイズが小さい高精細なディスプレイの各画素に、そのTFTを配置することが困難となる。
【００９８】
従って、上述したように、逆方向の電圧をなくすことで、TFTやEL素子の耐圧設計が容易になり、かつ、TFTやEL素子そのもののサイズを小さくすることができる。その結果、高精細なディスプレイを実現することが可能になる。
【００９９】
このように、正方向の電圧が印加されているときと、０Ｖ近傍かまたは逆方向の電圧が印加されているときとで、光の有無によって検出される電流値が異なるものとなる。なお、正方向の電圧が印加されているとき、光の有無によって検出される電流値に差が生じないのは、電圧を印加することにより流れる電流が、光を照射することによって流れる（発生する）電流に対して十分大きいためである。
【０１００】
図８は、光が照射されている場合と、照射されていない場合のTFTのドレイン電流Idの値を示す図である。
【０１０１】
図８に示されるように、逆方向のゲート電圧Vgが印加されている状態で光が照射された場合、照射されていない場合と較べて大きい値のドレイン電流Idが検出される。
【０１０２】
また、０Ｖ近傍のゲート電圧Vgが印加されている状態でも、光が照射された場合、照射されていない場合と較べて大きい値のドレイン電流Idが検出される。
【０１０３】
従って、ゲート電圧Vgとして逆方向の電圧を印加するように制御するだけでなく、０Ｖ近傍の値になるように制御することによっても、光が照射されているか否かの検出が可能となる。
【０１０４】
なお、図４および図５の例においては、１画素に１つのTFTが設けられるとしたが、２つのTFTが設けられる２TFT型の画素や、４つのTFTが設けられる４TFT型の画素の場合でも、同様に、それぞれのTFTが発生するリーク電流に基づいて、外部からのシンボルの入力を検出させることができる。
【０１０５】
また、表示部１１がLCDである場合（EL素子７４が設けられる自発光型のディスプレイでない場合）、図４および図５のEL素子７４の位置に液晶が設けられ、各画素が構成される。
【０１０６】
この場合、０Ｖ近傍の値や逆方向のバイアス電圧が印加され、外部から光が照射された場合であっても、液晶はEL素子７４のように電流を発生しないことから、その画素に配設されているTFTが発生したリーク電流のみに基づいて（図８に示すような値をとるリーク電流に基づいて）、シンボルの白黒のパターンが検出されることになる。
【０１０７】
図３の説明に戻り、検出部５３は、上述したように、例えば、０Ｖ近傍のバイアス電圧が印加された画素において発生した電流を検出し、その検出結果をシンボル処理部５２に出力する。
【０１０８】
シンボル処理部５２は、検出部５３からの出力に基づいて、読み取り領域を構成する各画素における検出結果を合成し、リーダライタ２４により出力されたシンボルを取得する。
【０１０９】
また、シンボルを検出する処理が所定の期間（ソースデータを転送するのに必要な期間）だけ繰り返し実行され、図９に示されるようなシンボル列がシンボル処理部５２により取得される。
【０１１０】
図９のシンボルＳ１乃至Ｓ３は、検出の際に同期をとるためのシンボルであり、単純なパターンからなるシンボルを繰り返すものとされる。そして、同期をとるためのシンボルシンボルＳ１乃至Ｓ３に続くシンボルＳ４乃至Ｓｎにより、例えば、画像データ、音楽データ、テキストデータなどの各種のソースデータが表される。
【０１１１】
図９に示されるようなシンボル列がシンボル処理部５２により取得され、データ処理部５１に出力される。
【０１１２】
また、シンボル処理部５２は、表示部１１の所定の位置にシンボルを表示し、情報処理端末２１にデータを転送するとき、データ処理部５１から供給されたデータに基づいてシンボルを生成する。シンボル処理部５２により生成されたシンボル列のデータは画像信号生成部４７に出力される。例えば、シンボル処理部５２により、図９のシンボル列が生成された場合、表示部１１には、シンボルＳ１乃至Ｓｎのそれぞれが、１フレームの表示毎に順次表示される。
【０１１３】
データ処理部５１は、表示部１１にシンボルを表示するとき、制御部４５により取得され、供給されたソースデータ（情報処理端末２１に転送するデータ）に対して、スクランブル、誤り訂正ブロックの付加、変調処理等を適宜施し、得られたデータをシンボル処理部５２に出力する。
【０１１４】
また、データ処理部５１は、表示部１１に形成された読み取り領域においてシンボルが検出され、それを表すデータがシンボル処理部５２から供給されたとき、供給されたデータに対して復調処理、誤り訂正処理、およびデスクランブル処理等を適宜施し、得られたソースデータ（情報処理端末２１から転送されたデータ）を制御部４５に供給する。
【０１１５】
制御部４５に供給された、情報処理端末２１から転送されてきたデータは、記憶部４４に記憶されたり、或いは、転送されてきたデータに基づく画像信号生成部４７およびコントローラ４８の処理により、対応する画像が表示部１１に表示される。
【０１１６】
図１０は、情報処理端末２１とリーダライタ２４の構成例を示すブロック図である。
【０１１７】
リーダライタ２４の先端面２４Ａにはレンズ１０１が配設されている。例えば、表示部１１に表示されているシンボルに先端面２４Ａが当接または近接されたとき、表示部１１から出射される、シンボルのパターンを表す光がレンズ１０１を介してリーダライタ２４の内部に入射される。入射された光は、ハーフミラー１０２で反射され、シンボル検出部１０３により受光される。
【０１１８】
シンボル検出部１０３には、光の有無を検出する光センサがアレイ状に配設されており、ハーフミラー１０２で反射され、受光された光から、そのとき表示部１１に表示されているシンボルが検出される。シンボル検出部１０３の検出結果は、ケーブル２３を介して情報処理端末２１のシンボル処理部１１２に出力される。
【０１１９】
シンボル表示部１０４は、プログレッシブ方式により表示可能なLCDなどから構成され、表示部１１と同じ周波数でシンボルを表示する。例えば、表示装置１にデータを転送するとき、シンボル表示部１０４は、画像信号生成部１１１から供給された信号に基づいて、転送するデータを表すシンボルを順次表示し、自分自身を挟んでハーフミラー１０２と対向する位置に設けられている光源（図示せず）からの光を利用して、シンボルを表す光を、表示部１１に形成される読み取り領域に照射する。照射された光は、ハーフミラー１０２およびレンズ１０１を介してリーダライタ２４の先端面２４Ａから外部に出射される。
【０１２０】
制御部１１４は、ROM（図示せず）やハードディスクなどよりなる記憶部１１８に記憶されている制御プログラムに基づいて、情報処理端末２１の全体の動作を制御する。
【０１２１】
通信部１１５は、インターネットなどのネットワークを介して、各種の機器と有線または無線により通信を行う。
【０１２２】
入力部１１７は、所定の入力ボタンや、表示部２２に重畳して配置されるタッチパネルなどに入力されるユーザからの指示を制御部１１４に出力する。
【０１２３】
画像信号生成部１１１は、シンボル処理部１１２により生成され、供給されたシンボル列のデータに基づいて、シンボル表示部１０４にシンボルを表示させるための画像信号を生成し、それを、ケーブル２３を介してシンボル表示部１０４に出力する。
【０１２４】
シンボル処理部１１２は、表示装置１からデータを取得するとき、シンボル検出部１０３による検出結果に基づいてシンボルを復元し、表示部１１に表示されたシンボル列を取得する。すなわち、シンボルを検出する処理が所定の期間だけ繰り返し実行され、例えば、図９に示されるようなシンボル列がシンボル処理部１１２により取得される。
【０１２５】
また、シンボル処理部１１２は、シンボル表示部１０４にシンボルを表示し、表示装置１にデータを転送するとき、データ処理部１１３から供給されたデータに基づいてシンボルを生成する。シンボル処理部１１２により生成されたシンボルのデータは、画像信号生成部１１１に出力される。
【０１２６】
データ処理部１１３は、シンボル表示部１０４にシンボルを表示するとき、制御部１１４から供給されたソースデータ（表示装置１に転送するデータ）に対して、スクランブル、誤り訂正ブロックの付加、変調処理等を適宜施し、得られたデータをシンボル処理部１１２に出力する。
【０１２７】
また、データ処理部１１３は、検出されたシンボルを表すデータがシンボル処理部１１２から供給されたとき、そのデータに対して復調処理、誤り訂正処理、およびデスクランブル処理等を適宜施し、得られたソースデータ（表示装置１から転送されたデータ）を制御部１１４に供給する。
【０１２８】
なお、制御部１１４には、必要に応じてドライブ１１６が接続され、磁気ディスク１３１、光ディスク１３２、光磁気ディスク１３３、或いは半導体メモリ１３４などが適宜装着され、それから読み出されたコンピュータプログラムが、必要に応じて記憶部１１８にインストールされる。
【０１２９】
次に、図１の情報処理システムの動作についてフローチャートを参照して説明する。
【０１３０】
始めに、図１１のフローチャートを参照して、情報処理端末２１に対してデータを転送する表示装置１の処理について説明する。
【０１３１】
ステップＳ１において、表示装置１の制御部４５（図３）は、情報処理端末２１に転送するソースデータを取得する。例えば、制御部４５は、ユーザからの指示により、所定のテレビジョン番組を表示部１１に表示させている状態において、その番組のデータを転送することが指示されたとき、或いは、ネットワークを介して取得した画像データなどを表示部１１に表示させている状態において、その画像データを転送することが指示されたとき、その指示に応じて、番組データや画像データをソースデータとして取得する。
【０１３２】
当然、ユーザは、表示装置１の記憶部４４に記憶されている音楽データやテキストデータなど、各種のデータを情報処理端末２１に転送することを表示装置１に指示することができる。
【０１３３】
制御部４５により取得されたソースデータは、例えば、画像信号生成部４７とデータ処理部５１に出力される。
【０１３４】
ステップＳ２において、データ処理部５１は、制御部４５から供給されたソースデータに応じて、シンボル列によりソースデータを表すことができるように、所定の単位のデータ毎に、スクランブル処理、誤り訂正コードの付加、変調処理、および同期コードの付加などを適宜行う。
【０１３５】
また、転送されるデータのタイトルやカテゴリを表す情報、或いは、データ量やデータのフォーマットを表す情報などが、サブデータとして適宜付加される。データ処理部５１により各種の処理が施された後に得られたデータは、シンボル処理部５２に供給される。
【０１３６】
シンボル処理部５２は、ステップＳ３において、例えば、予め用意されている変換テーブルを参照し、データ処理部５１から供給されたデータに対応するシンボルを生成する。生成されるシンボルは、各セルが黒白でコード化されたマトリクス型のシンボルであってもよいし、バーコードが積み重ねられてコード化されたスタック型のシンボルであってもよい。
【０１３７】
ソースデータのデータ量に対応する所定の数のシンボルがシンボル処理部５２により生成され、例えば、図９に示されるようなシンボル列が画像信号生成部４７に出力される。
【０１３８】
ステップＳ４において、画像信号生成部４７は、制御部４５から供給されたソースデータに対応する画像を表示させるための画像信号と、シンボル処理部５２から供給されたシンボル列を表示させるための画像信号を重畳して得られた画像信号をコントローラ４８に供給し、ソースデータに対応する画像とともにシンボルを順次表示させる。
【０１３９】
これにより、表示されている画像に対応するシンボル（表示されている画像を転送するためのシンボル）が、例えば、画像の近傍などの、表示部１１の所定の位置に表示される。
【０１４０】
ステップＳ５において、コントローラ４８は、転送するデータを表す全てのシンボルを表示したか否かを判定し、全てのシンボルを表示したと判定するまで、ステップＳ４に戻り、シンボルの表示を順次繰り返す。その後、ステップＳ５において、全てのシンボルを表示したと判定された場合、処理が終了される。
【０１４１】
なお、表示されているシンボルを取り込むことで、そのとき表示部１１に表示されている画像データを情報処理端末２１に取り込むことができることをユーザが認識できるように、転送するデータによる画像が表示されている期間だけ、シンボル列が繰り返し表示されるようにしてもよい。例えば、１０分間の動画像が表示部１１に表示されている場合、その動画像のデータから生成されたシンボル列が、画像の表示に併せて１０分間繰り返し表示される。
【０１４２】
以上のようにして表示部１１の所定の位置に表示されるシンボルをリーダライタ２４で読み取ることにより、ユーザは、表示装置１から情報処理端末２１にデータを取り込むことができる。
【０１４３】
次に、図１２のフローチャートを参照して、図１１の処理に対応して実行される、情報処理端末２１のデータ取得処理について説明する。
【０１４４】
リーダライタ２４の先端面２４Ａが表示部１１に当接され、当接された位置に表示されているシンボルの同期コード（図９）を検出したとき、情報処理端末２１のシンボル検出部１０３（図１０）は、ステップＳ２１において、それを読み取る。
【０１４５】
ステップＳ２２において、シンボル検出部１０３は、全てのシンボルを読み取ったか否かを判定し、読み取っていないと判定した場合、ステップＳ２１に戻り、表示されるシンボルを繰り返し読み取る。シンボル検出部１０３により読み取られたシンボルの情報は、例えば、シンボル処理部１１２に順次出力される。
【０１４６】
シンボル検出部１０３は、例えば、シンボル列の終端のシンボルであることを表すシンボルを検出したとき、ステップＳ２２において、転送されるデータを表す全てのシンボルを読み取ったと判定し、ステップＳ２３に進む。
【０１４７】
ステップＳ２３において、シンボル処理部１１２は、シンボル列をデコードし、得られたデータをデータ処理部１１３に出力する。
【０１４８】
データ処理部１１３は、シンボル処理部１１２から供給されたデータに対して、復調処理、誤り訂正処理、デスクランブル処理等をステップＳ２４において適宜行い、ソースデータを取得する。これにより、表示装置１において、情報処理端末２１に転送するものとして選択されたソースデータが情報処理端末２１により取得される。
【０１４９】
ステップＳ２５において、制御部１１４は、データ処理部１１３により取得されたソースデータに対応する処理を行う。
【０１５０】
例えば、図１３に示されるように、ウインドウ１５１に、動画像１５１Ａと、動画像１５１Ａのデータを表すシンボル１５２が表示され（図１１の処理）、ユーザがリーダライタ２４によりシンボル１５２を読み取らせた場合、動画像１５１Ａのソースデータが情報処理端末２１に転送され（図１２のステップＳ２１乃至Ｓ２４の処理）、情報処理端末２１の制御部１１４は、ステップＳ２５において、転送されたソースデータに基づいて、動画像１５１Ａと同じ動画像を表示部２２に表示させる。
【０１５１】
これにより、ユーザは、ウインドウ１５１に表示されているものと同一の画像を、表示部２２に表示させることができ、表示装置１と離れた場所でも、情報処理端末２１を用いて動画像１５１Ａの内容を確認することができる。
【０１５２】
また、情報処理端末２１に転送されたソースデータは、ステップＳ２５において、記憶部１１８に保存されたり、通信部１１５を介して他の機器に送信されたり、或いは、ドライブ１１６に装着された記録媒体に記録される。
【０１５３】
さらに、図１３のウインドウ１６１に、例えば、ネットワークを介して取得されたテキスト画像１６１Ａが表示され（図１１の処理）、ユーザがウインドウ１６１の右隅に表示されているシンボル１６２をリーダライタ２４により読み取らせた場合、テキストデータ（ソースデータ）が情報処理端末２１に転送される（図１２のステップＳ２１乃至Ｓ２４の処理）。
【０１５４】
情報処理端末２１の制御部１１４は、ステップＳ２５において、転送されたテキストデータを記憶部１１８に保存させたり、或いは、対応する画像（テキスト画像）を表示部２２に表示させる。
【０１５５】
図１３のウインドウ１７１に表示されるシンボル１７２は、音楽データをソースデータとして生成され、表示されるものであり（図１１の処理）、シンボル１７２にリーダライタ２４が所定の期間（音楽データのデータ量に対応するシンボルが表示される期間）だけ当接されたとき、情報処理端末２１により音楽データが取り込まれる（図１２のステップＳ２１乃至Ｓ２４の処理）。取り込まれた音楽データは、例えば、図１２のステップＳ２５において再生され、情報処理端末２１の図示せぬスピーカから出力される。
【０１５６】
なお、ウインドウ１７１には、情報処理端末２１に取り込むことができる音楽のタイトルやアーティストに関する情報などのサブデータが表示されるようにしてもよい。
【０１５７】
例えば、テレビジョン番組において音楽が流れると同時にウインドウ１７１とシンボル１７２が表示部１１の所定の位置に表示される場合、ユーザは、表示されるシンボル１７２をリーダライタ２４で読み取らせることにより、その音楽データを情報処理端末２１に取り込むことができる。
【０１５８】
また、ソースデータとして、所定のサイトにアクセスするためのURLが取得された場合、図１３のウインドウ１８１に示されるように、そのURLを表すシンボル１８２が表示される（図１１の処理）。リーダライタ２４がシンボル１８２に当接され、URLが制御部１１４により取得された場合、制御部１１４は、ステップＳ２５において、通信部１１５を制御して、取得したURLにより指定されるサイトにアクセスし、アクセスしたサイトの画面を表示部２２に表示させる。
【０１５９】
当然、ウインドウ１８１にサイトの画面がシンボル１８２とともに表示されており、そのシンボル１８２を読み取らせることで、情報処理端末２１においてもサイトの画面を確認できるようにしてもよい。
【０１６０】
以上のように、ユーザは、表示されるシンボルをリーダライタ２４により読み取らせるだけでよいため、直感的かつ容易な操作により、各種のデータを情報処理端末２１に取り込むことができる。
【０１６１】
次に、図１４および図１５のフローチャートを参照して、図１１および図１２を参照して説明したものと反対に、情報処理端末２１から表示装置１に対してデータを転送する情報処理システムの動作について説明する。
【０１６２】
始めに、図１４のフローチャートを参照して、表示装置１にデータを転送する情報処理端末２１の処理について説明する。
【０１６３】
図１４に示される処理は、図１１を参照して説明した表示装置１の処理と基本的に同様の処理である。すなわち、情報処理端末２１の制御部１１４は、ステップＳ４１において、表示装置１に転送するソースデータを取得する。
【０１６４】
例えば、ユーザの入力部１１７に対する入力により、記憶部１１８に記憶されている所定のデータを転送することが指示されたとき、或いは、ネットワークを介して取得した画像データなどを表示部２２に表示させている状態において、その画像データを転送することが指示されたとき、制御部１１４は、その指示に応じてソースデータを取得する。
【０１６５】
ステップＳ４２において、データ処理部１１３は、制御部１１４から供給されたソースデータに応じて、シンボル列によりソースデータを表すことができるように、所定の単位のデータ毎に、スクランブル処理、誤り訂正コードの付加、変調処理、および同期コードの付加などを適宜行う。
【０１６６】
シンボル処理部１１２は、ステップＳ４３において、例えば、予め用意されている変換テーブルを参照し、データ処理部１１３から供給されたデータに対応するシンボル列を生成する。生成されたシンボル列は、画像信号生成部１１１に出力される。
【０１６７】
ステップＳ４４において、画像信号生成部１１１は、シンボル処理部１１２から供給されたシンボル列のデータに基づいて、シンボルを表示させるための画像信号を生成し、シンボル表示部１０４に順次表示させる。
【０１６８】
シンボル表示部１０４においては、例えば、表示装置１の表示部１１と同じ周波数でシンボル列のそれぞれのシンボルが順次表示され、シンボルを表す光がハーフミラー１０２およびレンズ１０１を介してリーダライタ２４の外部に出射される。
【０１６９】
後述するように、リーダライタ２４の先端面２４Ａが表示部１１に形成される読み取り領域に当接されているとき、ステップＳ４４において表示されるシンボル（リーダライタ２４から出射されるシンボルを表す光）が読み取り領域において読み取られる（図１５のステップＳ６２）。
【０１７０】
画像信号生成部１１１は、ステップＳ４５において、転送するデータを表すシンボル列の各シンボルを、シンボル表示部１０４に全て表示したか否かを判定し、表示していないと判定した場合、ステップＳ４４に戻り、シンボルの表示を繰り返す。
【０１７１】
画像信号処理部１１１は、ステップＳ４５において、全てのシンボルを表示したと判定した場合、処理を終了させる。
【０１７２】
次に、図１５のフローチャートを参照して、図１４の処理に対応して実行される、表示装置１のデータ取得処理について説明する。
【０１７３】
ステップＳ６１において、表示装置１の制御部４５は、表示部１１の所定の位置に読み取り領域を設定する。すなわち、制御部４５は、所定の画素（TFT）に、例えば、０Ｖ近傍のバイアス電圧を印加し（電圧が印加されないように制御し）、読み取り領域を表示部１１に形成する。
【０１７４】
読み取り領域は、所定の位置に固定的に常時形成されるようにしてもよいし、それまで正方向のバイアス電圧が印加されており、シンボルが表示されていた位置に形成されるようにしてもよい。
【０１７５】
形成された読み取り領域にリーダライタ２４の先端面２４Ａが当接され、リーダライタ２４のシンボル表示部１０４に表示されているシンボルを表す光が照射されたとき、シンボル処理部５２は、ステップＳ６２において、検出部５３による検出結果に基づいてシンボルを読み取る。
【０１７６】
上述したように、シンボル処理部５２は、読み取り領域を構成するそれぞれの画素においてリーク電流が検出された場合、その画素の正面にはシンボルの白の領域があるものとし、一方、リーク電流が検出されていない場合、その画素の正面にはシンボルの黒の領域があるとものして、読み取り領域を構成する各画素の検出結果を合成し、１つのシンボルを読み取る。
【０１７７】
シンボル処理部５２は、ステップＳ６３において、全てのシンボルを読み取ったか否かを判定し、読み取っていないと判定した場合、ステップＳ６２に戻り、リーダライタ２４において出力されるシンボルを繰り返し読み取る。検出部５３により読み取られたシンボルの情報は、シンボル処理部５２に順次出力される。
【０１７８】
シンボル処理部５２は、ステップＳ６３において、シンボル列の終端であることを表すシンボルが検出されたとき、転送されるデータを表す全てのシンボルを読み取ったと判定し、ステップＳ６４に進む。
【０１７９】
ステップＳ６４において、シンボル処理部５２は、２次元コードのパターンと、データの対応テーブルを参照してシンボル列をデコードし、得られたデータをデータ処理部５１に出力する。
【０１８０】
データ処理部５１は、ステップＳ６５において、シンボル処理部５２から供給されたデータに対して、復調処理、誤り訂正処理、デスクランブル処理等を適宜行い、ソースデータを取得する。これにより、情報処理端末２１において選択されたソースデータが表示装置１により取得された状態になる。
【０１８１】
ステップＳ６６において、制御部４５は、データ処理部５１により取得されたソースデータに対応する処理を行う。
【０１８２】
例えば、図１６に示されるように、情報処理端末２１の表示部２２に表示されている動画像２２Ａが、表示装置１に転送するデータとして選択された場合、動画像２２Ａを表すシンボル列が生成され、リーダライタ２４から、各シンボルを表す光が順次出射される（図１４のステップＳ４４）。
【０１８３】
そして、リーダライタ２４から出射されるシンボル列が、表示部１１の右下方に形成される読み取り領域１９２において読み取られた場合（図１５のステップＳ６２）、ウインドウ１９１が表示され、そこに、読み取られたシンボル列から取得されたソースデータ（動画像２２Ａのデータ）に対応する動画像が表示される（図１５のステップＳ６６）。
【０１８４】
このように、ユーザは、情報処理端末２１において指定し、リーダライタ２４を読み取り領域１９２に当接させるだけで、指定した画像を表示部１１に拡大表示させることができる。
【０１８５】
例えば、情報処理端末２１がPDAなどの端末である場合、表示部２２の大きさが制限されることから、画像の詳細を確認することが困難であることがあるが、以上のようにして、情報処理端末２１から表示装置１にデータを転送し、表示部１１に画像を拡大表示させることで、その詳細を容易に確認することができる。
【０１８６】
同様にして、情報処理端末２１において選択された音楽データが表示装置１に転送されたとき、表示装置１により音楽データが再生され、再生音がスピーカから出力される。
【０１８７】
また、情報処理端末２１において指定されたURLが表示装置１に転送されたとき、表示装置１により、そのURLにより指定されるサイトに対するアクセスが表示装置１の通信部４３を介して行われ、アクセスしたサイトの画面が表示部１１に表示される。
【０１８８】
以上においては、単にデータのみが送受信されるとしたが、取得されたデータに対する処理の内容を指示する命令コード（指示情報）がシンボル列に含まれている場合、そのシンボル列を読み取った機器により、命令コードに応じて各種の処理が実行されるようにしてもよい。
【０１８９】
次に、図１７のフローチャートを参照して、命令コードを含むシンボル列を表示し、データを表示装置１に転送する情報処理端末２１の処理について説明する。
【０１９０】
図１７に示される処理は、ユーザからの入力に基づいて命令コードを生成し、それをソースデータに付加する処理が行われる点を除いて、基本的に、図１４のステップＳ４１乃至Ｓ４５の処理と同様の処理であり、詳細な説明は省略する。
【０１９１】
すなわち、情報処理端末２１の制御部１１４は、ステップＳ８１において、ソースデータを取得したとき、ステップＳ８２に進み、取得したソースデータに命令コードを付加する。
【０１９２】
例えば、命令コードとして、命令コードとともに転送されたソースデータの画像を表示するウインドウの大きさ、表示位置、表示時間などを指示するコードや、命令コードとともに転送されたソースデータに、その転送主（ユーザ）のみが表示装置１において再生できるような鍵を設定することを指示するコードなどがユーザからの指示に基づいて付加される。
【０１９３】
ステップＳ８３において、データ処理部１１３により、命令コードが付加されたソースデータに各種の処理が施される。また、各種の処理が施されて得られたデータに基づいて、ステップＳ８４において、シンボル処理部１１２によりシンボル列が生成される。
【０１９４】
ステップＳ８５において、各シンボルがシンボル表示部１０４に順次表示され、全てのシンボルが表示されたことがステップＳ８６において判定されたとき、処理が終了される。
【０１９５】
次に、図１８のフローチャートを参照して、図１７の処理に対応して実行される、表示装置１のデータ取得処理について説明する。
【０１９６】
ステップＳ１０１乃至Ｓ１０５の処理は、図１５のステップＳ６１乃至Ｓ６５の処理と同様の処理であるため、その説明は省略する。
【０１９７】
すなわち、表示部１１に形成した読み取り領域においてシンボル列を読み取り、ソースデータを取得したとき、ステップＳ１０６において、表示装置１の制御部４５は、取得したデータから命令コードを抽出する。
【０１９８】
ステップＳ１０７において、制御部４５は、抽出した命令コードに基づいて画像信号生成部４７を制御し、ソースデータに対応する画像の表示を制御する。
【０１９９】
例えば、命令コードとして、表示部１１の所定の位置にウインドウを表示し、そこに、ソースデータに対応する画像を表示させることを指示するコードを抽出した場合、制御部４５は、そのコードに従ってウインドウの表示位置を決定する。
【０２００】
また、制御部４５は、命令コードとしてウインドウのサイズを指示するコードも含まれている場合、指示されるサイズのウインドウを表示し、ソースデータに対応する画像を表示する。
【０２０１】
さらに、制御部４５は、命令コードとして、ソースデータに対応する画像を表示する期間を指示するコードを抽出した場合、それにより指定された時刻までソースデータに対応する画像を表示し続ける。
【０２０２】
このように、ユーザは、情報処理端末２１において表示の設定を行い、その設定通りに、表示装置１に画像を表示させることができる。
【０２０３】
同様に、転送するデータが音楽データである場合、その音楽データを再生するときの音量を指示するコードや、再生モード（リピート再生、シャッフル再生等）などを指示するコードが命令コードとして含まれ、その命令コードに従って、表示装置１において音楽データが再生される。
【０２０４】
図１９は、図１７の処理に対応して実行される、表示装置１の他のデータ取得処理について説明するフローチャートである。
【０２０５】
この例においては、ソースデータを表示装置１に転送した本人のみが、そのソースデータを表示装置１において再生できるようにすることを指示するコードが、命令コードとして、ソースデータとともに情報処理端末２１から表示装置１に転送される。
【０２０６】
ステップＳ１２１乃至Ｓ１２６の処理は、図１８のステップＳ１０１乃至Ｓ１０６の処理と同様の処理であるため、その説明は省略する。
【０２０７】
読み取り領域において読み取ったシンボル列からソースデータを取得し、命令コードを抽出したとき（ステップＳ１２１乃至Ｓ１２６）、ステップＳ１２７において、表示装置１の制御部４５は、取得したデータを記憶部４４に保存し、保存したデータに鍵を設定する。
【０２０８】
例えば、情報処理端末２１からの命令コードには、情報処理端末２１に固有のものとして設定される識別情報が含まれており、その識別情報と組み合わせることで鍵を解くことができるシンボルを生成し、表示部１１に表示させる。表示部１１に表示されたシンボルと、情報処理端末２１の識別情報を組み合わせることで生成できる解読シンボルは、保存することが指示されたデータと対応付けて記憶部４４に保存される。
【０２０９】
情報処理端末２１から転送されたデータに鍵が設定されたとき、表示部１１には、図２０に示されるような画面が表示される。
【０２１０】
例えば、ユーザＡが利用する情報処理端末２１からデータが転送され、そのデータに鍵を設定することが命令コードにより指示されたとき、制御部４５は、情報処理端末２１の識別情報と組み合わせることで解読シンボルを生成できるシンボル２０１を、ユーザ名（ユーザＡ）の直右方に表示させる。なお、ユーザ名は、命令コードに含まれる情報に基づいて表示されるものである。
【０２１１】
従って、ユーザは、表示装置１に転送し、保存しておいたデータを再生するとき、リーダライタ２４によりシンボル２０１を読み取り、情報処理端末２１に、鍵を解くための解読シンボルを生成させる。
【０２１２】
例えば、シンボル２０１が表示されている位置には、所定の周期で読み取り領域が設定されるため（シンボル２０１が表示されている画素に印加されるバイアス電圧の極性が所定の周期で切り替えられるため）、ユーザは、新たに形成される読み取り領域に、情報処理端末２１において生成させた解読シンボルをリーダライタ２４から入力することによって、保存しておいたデータを再生（出力）させる。
【０２１３】
図２０の例においては、ユーザＢが使用する端末から転送されたデータと、ユーザＣが使用する端末から転送されたデータに対しても鍵が設定されていることも示されている。
【０２１４】
なお、シンボルの表示と読み取り領域の形成が周期的に切り替えられるのではなく、例えば、図２０のシンボル２０１の近傍に読み取り領域が常時設定されているようにしてもよい。
【０２１５】
図１９の説明に戻り、ステップＳ１２８において、制御部４５は、データ処理部５１からの出力に基づいて、解読シンボルが読み取り領域において読み取られたか否かを判定し、読み取られたと判定するまで待機する。上述したようにして、情報処理端末２１において生成された解読シンボルが読み取り領域に入力されたとき、検出部５３により検出された解読シンボルを表すデータが、シンボル処理部５２およびデータ処理部５１を介して制御部４５に供給される。
【０２１６】
制御部４５は、ステップＳ１２８において、解読シンボルが供給されたと判定した場合、ステップＳ１２９に進み、供給された解読シンボルに対応付けて保存されているデータを記憶部４４から読み出し、再生する。例えば、保存されていたデータが画像データである場合、対応する画像が表示部１１に表示され、保存されていたデータが音楽データである場合、その音楽データが再生される。
【０２１７】
以上のように、自分自身の名前の近傍に表示されるシンボルをリーダライタ２４により読み取り、それに応じて生成された解読シンボルを表示装置１に入力することで、保存しておいたデータを再生させることができるため、ユーザは、直感的な操作で、データを保存することができるとともに、その再生を指示することができる。
【０２１８】
図２０に示されるように、ユーザＡ乃至Ｃにより所定のデータが表示装置１に転送されている場合、仮に、ユーザＡが情報処理端末２１のリーダライタ２４によりシンボル２０２（ユーザＢが使用する端末の識別情報と組み合わせることで解読シンボルを生成することができるシンボル）を読み取った場合であっても、ユーザＢの端末の識別情報が情報処理端末２１には用意されていないため、ユーザＡは、ユーザＢにより保存され、鍵が設定されたデータを再生させることができない。
【０２１９】
従って、自分が保存していたデータが他人に利用されることを防止することができる。なお、以上においては、端末の識別情報と、表示されるシンボルに基づいて解読シンボルが生成され、それにより鍵を解除することができるとしたが、鍵の設定と解読のアルゴリズムは適宜変更可能である。
【０２２０】
次に、図２１のフローチャートを参照して、図１７の処理に対応して実行される、表示装置１のさらに他のデータ取得処理について説明する。
【０２２１】
この例においては、指定する機器にデータを送信することを指示するコードが、命令コードとして情報処理端末２１から表示装置１に転送される。例えば、機器を指定する情報であるアドレスなどが命令コードに含まれ、その命令コードが、アドレスで指定する機器に送信するデータとともに転送される。
【０２２２】
ステップＳ１４１乃至Ｓ１４６の処理は、図１８のステップＳ１０１乃至Ｓ１０６の処理と同様の処理であるため、その説明は省略する。
【０２２３】
読み取り領域において読み取ったシンボル列からソースデータを取得し、命令コードを抽出したとき（ステップＳ１４１乃至Ｓ１４６）、ステップＳ１４７において、表示装置１の制御部４５は、命令コードにより指定される機器に、取得したデータを送信する。
【０２２４】
例えば、情報処理端末２１において入力された、ネットワークを介して接続される機器のアドレスが命令コードに含まれている場合、制御部４５は、通信部４３を制御し、情報処理端末２１から転送されたデータを、そのアドレスで指定される機器に送信する。
【０２２５】
これにより、ユーザは、情報処理端末２１に通信部１１５が設けられていない場合であっても、情報処理端末２１において送信先の機器を指定し、リーダライタ２４を表示部１１に当接させるだけで、表示装置１を介して、他の機器にデータを送信することができる。
【０２２６】
以上においては、命令コードとして、画像の表示を制御する情報、送信したデータに鍵を設定することを指示する情報、および、データの送信先を指定する情報などが含まれるとしたが、これ以外にも、各種の情報を命令コードに含めることができるようにしてもよい。
【０２２７】
例えば、データの属性を表す情報を命令コードとしてデータとともに転送し、その命令コードを取得した機器において、命令コードに応じた処理が行われるようにしてもよい。データの属性を表す情報として、それぞれのデータの優先度が含まれている場合、優先度に応じて、表示される順番が制御されたり、或いは、それぞれのデータの表示サイズが制御される。また、データの属性を表す情報として、ユーザの嗜好情報（視聴履歴情報）が含まれている場合、ユーザの嗜好に応じて、表示される順番や表示位置などが制御される。
【０２２８】
以上においては、読み取り領域は、表示部１１の所定の位置に固定して形成されるか、または、シンボルが表示される位置に周期的に形成される場合について説明したが、表示部１１の走査に併せて、読み取り領域の移動が行われるようにしてもよい。
【０２２９】
例えば、図２２の点線矢印で示されるように、表示部１１の画面走査が画面の左上端から１／６０（秒）の周期で行われる場合、この走査に併せて例えば０Ｖ近傍の電圧が印加される画素が切り替えられることで読み取り領域２１１の移動が行われる。これにより、表示部１１にリーダライタ２４が当接されたか否かが、１／６０（秒）の周期でスキャンされることになる。
【０２３０】
なお、表示部１１にウインドウ２１２が既に表示されている場合、画像の表示と同時に、読み取り領域として１つの画素（ウインドウ２１２の画素）を機能させることができないため、ウインドウ２１２が表示される領域以外の領域で、読み取り領域２１１によるスキャンが行われる。
【０２３１】
例えば、図２３に示される表示部１１の位置Ｐにユーザがリーダライタ２４を当接させているときに、読み取り領域２１１により位置Ｐがスキャンされた場合、リーダライタ２４から出力されるシンボルが読み取り領域２１１により読み取られ、情報処理端末２１において選択されたデータが表示装置１に転送される。
【０２３２】
データが表示装置１に転送されたとき、例えば、読み取り領域２１１が右隅に位置するように、ウインドウ２２１が表示され、そこに、取り込まれたデータに対応する画像が表示される。
【０２３３】
このように表示部１１の表面にリーダライタ２４が当接されたか否か（データの転送が行われるか否か）が周期的にスキャンされ、当接された位置を基準としてウインドウが表示されるようにしたため、ユーザは、画像が表示されていない領域であれば、リーダライタ２４を移動させやすい位置、或いは、ウインドウを表示させたい位置、すなわち、好みの位置にリーダライタ２４を当接させることでデータを表示装置１に転送することができる。
【０２３４】
次に、図２４のフローチャートを参照して、図２２および図２３に示されるように、リーダライタ２４からの入力の有無を読み取り領域によりスキャンし、リーダライタ２４が当接されたときに情報処理端末２１からデータを取得する表示装置１の処理について説明する。
【０２３５】
ステップＳ１６１において、表示装置１の制御部４５は、所定の画素に例えば０Ｖ近傍のバイアス電圧を印加して読み取り領域を設定し、ステップＳ１６２に進み、画像が表示されていない領域を、設定した読み取り領域によりスキャンする。
【０２３６】
ステップＳ１６３において、制御部４５は、リーダライタ２４が表示部１１の表面に当接され、シンボルの入力が読み取り領域において検出されたか否かを判定し、検出されていないと判定した場合、ステップＳ１６２に戻り、スキャンを繰り返す。
【０２３７】
一方、読み取り領域において、リーク電流が発生されたことが検出され、シンボルが入力されたと判定した場合、制御部４５は、読み取り領域の移動を停止し、ステップＳ１６４に進み、シンボルを読み取る。
【０２３８】
すなわち、ステップＳ１６４乃至Ｓ１６７において、上述した処理と同様のシンボルの読み取り処理が実行され、ソースデータが取得される。
【０２３９】
ソースデータが取得されたとき、制御部４５は、ステップＳ１６８において、リーダライタ２４が当接された位置を基準としてウインドウを表示させ、そこに、転送されてきたデータに対応する画像を表示させる。
【０２４０】
以上の処理により、ユーザは、所定の位置に固定して設定されている読み取り領域にリーダライタ２４を当接させることなく、好みの位置に、かつ、容易に、データを表示装置１に転送することができる。
【０２４１】
なお、図２２および図２３に示される例においては、説明の便宜上、比較的広い範囲に読み取り領域が形成され、それが移動されるとしたが、１画素からなる読み取り領域により順次スキャンが行われるようにしてもよい。
【０２４２】
この場合、スキャンが行われる１画素によりシンボルの入力が検出されたとき、検出された位置の周囲の所定の範囲に読み取り領域が拡大して設定され（検出された位置の周囲の画素の極性が切り替えられ）、設定された読み取り領域により、リーダライタ２４から出射されるシンボルが読み取られる。
【０２４３】
ユーザからの入力の有無を検出する画素は、必要最小限の１画素だけでよいため、これにより、その１画素を除く、他の全ての画素に画像を表示させることができる。従って、ユーザからの入力を順次スキャンする場合であっても、より広い領域を表示領域として確保することができる。
【０２４４】
以上においては、情報処理端末２１には、シンボルの読み書きのみを行うリーダライタ２４がケーブル２３を介して接続されるとしたが、表示部２２が、表示装置１の表示部１１と同様にTFTが各画素に配置された表示デバイスにより構成され、その極性を制御することで画像を表示するだけでなく、外部からの光を検出できるセンサ（読み取り領域）として駆動することが可能である場合、リーダライタ２４が情報処理端末２１に設けられている必要はない。
【０２４５】
図２５は、表示装置１の表示部１１と同様に、TFTが各画素に配置された表示デバイスが設けられる情報処理端末２３１の外観を示している。
【０２４６】
このように、リーダライタが設けられていない場合であっても、表示装置１の表示部１１に情報処理端末２３１の表示部２３２を当接または近接させることで、上述したようにして、表示装置１と情報処理端末２３１との間でデータの送受信を実行させることが可能である。
【０２４７】
すなわち、ユーザは、情報処理端末２３１の表示部２３２に表示させたシンボルを、表示装置１の表示部１１に形成される読み取り領域に読み取らせることにより、情報処理端末２３１から表示装置１にデータを転送することができる。
【０２４８】
また、ユーザは、反対に、例えば、０Ｖ近傍のバイアス電圧が印加され、外部からの光を検出するセンサとして駆動するように形成された表示部２３２の読み取り領域で、表示装置１の表示部１１に表示されるシンボルを読み取らせることにより、表示装置１から情報処理端末２３１にデータを転送することができる。
【０２４９】
従って、情報処理端末２３１は、ユーザが容易にその位置や向きを変えることができるような大きさの端末とされる。
【０２５０】
以上においては、表示装置１の表示部１１は、TFTが各画素に配置されたELディスプレイまたはLCDであるとしたが、図２６に示されるように、表示部２４２のうちの領域２４３がPDP(Plasma Display Panel)として構成され、領域２４４が、TFTが各画素に配置されるLCDとして構成されるハイブリッド型のディスプレイであってもよい。
【０２５１】
この場合、表示装置２４１は、画像の表示のみを行う場合（外部から入力されるシンボルの検出を行わない場合）、PDPからなる領域２４３とLCDからなる領域２４４に、すなわち、表示部２４２全体に画像を表示し、一方、外部から入力されるシンボルを検出する読み取り領域を形成する必要があるとき、領域２４４の所定の領域の画素に例えば０Ｖ近傍のバイアス電圧を印加し、読み取り領域を形成する。
【０２５２】
これにより、TFTが各画素に配置されるELディスプレイやLCDにより表示部２４２の全体を構成する場合に較べて、容易に、上述したようにして各種のデータを送受信することができる表示装置の大画面化を図ることができる。
【０２５３】
また、PDPからなる領域２４３にのみ画像が表示され、領域２４４の全体には、外部からの光の有無を検出する光センサがアレイ状に常時配置されるようにしてもよい。この場合、当然、領域２４４には、画像が表示されない。
【０２５４】
さらに、表示装置の縁（表示部が形成されていない部分）や、表示装置の側面などの所定の位置に光センサが設けられ、そこでシンボルが検出されるようにしてもよいし、シンボルの読み書きを行うための小型のTFTディスプレイ（TFTが各画素に配置されたELディスプレイ、LCD）が設けられ、そこでシンボルの表示と検出が行われるようにしてもよい。
【０２５５】
シンボルの読み書きを行うための小型のTFTディスプレイが情報処理端末に設けられる場合、その外観構成は、例えば、図２７に示されるものとなる。
【０２５６】
図２７に示される情報処理端末２５１には、表示部２５２が筐体の正面に設けられ、表示部２５２の直右側には、図の垂直方向を軸として回動自在なリーダライタ部２５３が形成され、そこに、TFTディスプレイ２５４が設けられている。
【０２５７】
例えば、外部の機器に対してシンボルを介してデータを転送する場合、TFTディスプレイ２５４には、シンボルが順次連続して表示され、シンボルに対応する光が外部に照射される。また、外部の機器に表示されているシンボルを検出する場合、TFTディスプレイ２５４の各画素には例えば０Ｖ近傍のバイアス電圧が印加され、光センサとしての駆動が行われる。
【０２５８】
このように、リーダライタ部２５３が情報処理端末２５１の筐体に対して回動自在に形成されている場合、表示部２５２とTFTディスプレイ２５４の正面を、それぞれ異なる方向に位置させることができるため、ユーザは、表示部２５２の表示を確認しながら、転送するデータを選択し、表示部２５２と反対方向に向けられているTFTディスプレイ２５４の表示によりデータを転送することができる。
【０２５９】
また、図２８に示されるように、図１のリーダライタ２４の内部に、小型のTFTディスプレイ２６２が配置され、それにより、シンボルの表示と検出が行われるようにしてもよい。
【０２６０】
以上においては、TFTが各画素に配設されたLCDによっても、例えば、０Ｖ近傍のバイアス電圧を印加することで、外部からの光を検出できるセンサとして駆動させることができるとしたが、仮に、その検出の際にバックライトからの光が誤検出を引き起こすおそれがあるとき、或いは、外部から照射されるシンボルを検出することができないときは、外部からの光を検出するときだけ、バックライトの出力がオフにされるようにしてもよい。
【０２６１】
これにより、TFTが各画素に配設されたLCDによっても、バックライトの影響を受けることなく、外部からの光を検出できるセンサとして駆動させることができ、シンボルを介して各種のデータの送受信を行わせることが可能となる。
【０２６２】
以上のようにして行われるデータの送受信は、例えば、パーソナルコンピュータ、携帯電話機、PDA、テレビジョン受像機、音楽再生機、ディジタルカメラ、ビデオカメラなどの、表示部が設けられる様々な情報処理装置に実行させることができる。
【０２６３】
ここで、画像の表示と、外部からの入力の検出とを切り替える動作について、より具体的に説明する。
【０２６４】
図２９は、表示装置１の他の構成例を示す図である。図３と同じ部分には同一の符号を付してあり、重複する説明については適宜省略する。
【０２６５】
切替部３０１は、コントローラ４８による制御に基づいて、各画素に設けられるスイッチ（TFT）のオン／オフを切り替え、各画素を、画像を表示する画素として、または、外部からの入力を検出する画素として駆動させる。
【０２６６】
上述した構成においては、画像を表示する画素として、または、外部からの入力を検出する画素として駆動させることの切り替えは、TFTのゲート電極に印加する電圧の方向が制御されることで行われるものとしたが、この例においては、切替部３０１によるスイッチの切り替えに応じて行われる。切替部３０１によるスイッチのオン／オフに連動して、各画素に設けられるEL素子に印加される電圧の方向が制御される。
【０２６７】
以下、適宜、RGBを１組とする画素を「ピクセル」と称し、１ピクセルを構成するRGBのそれぞれを「サブピクセル」と称する。
【０２６８】
図３０は、図２９の表示部１１に接続される各信号線の例を示す図である。
【０２６９】
図３０の例においては、データ線と受光信号線は、それぞれ、左から１乃至ＸまでのＸ本だけ配設され、ゲート線と切替線は、それぞれ、上から１乃至ＹまでのＹ本だけ配設されている。例えば、表示部１１がXGA(eXtended Graphics Array)サイズのディスプレイである場合、Ｘの値は１０２４×３（RGB）となり、Ｙの値は７６８となる。
【０２７０】
図２９のソースドライバ４９は、データ線（ソース線）を介して、各サブピクセルに、表示する画像に対応する信号を供給し、ゲートドライバ５０は、ゲート線を介して、各行のピクセルのTFTのオン／オフを制御する。
【０２７１】
検出部５３は、受光信号線を介して、外部からの入力を検出するサブピクセルとして駆動しているサブピクセルで生じたリーク電流を表す受光信号を検出し、切替部３０１は、切替線を介して、各サブピクセルを、画像を表示するサブピクセルとして、または、外部からの入力を検出するサブピクセルとして駆動させる。
【０２７２】
なお、１ピクセルを構成する３つのサブピクセルの全てにおいて外部からの入力を検出することができるのではなく、１ピクセルを構成する３つのサブピクセルのうち、例えば、赤色（Ｒ）などの、１つのサブピクセルでのみ、外部からの入力を検出することができるようになされている場合、受光信号線の数は、各ピクセルに１本ずつ、すなわち、Ｘとなる。
【０２７３】
後述するように、RGBのそれぞれの受光特性が異なることから、このように、受光感度のよいEL素子を有するサブピクセルのみが、画像を表示するだけでなく、外部からの入力を検出するサブピクセルとしても駆動することができるようにしてもよい。
【０２７４】
図３１は、画像を表示するサブピクセルとして駆動するだけでなく、外部からの入力を検出するサブピクセルとしても駆動可能なサブピクセルに形成される回路（点線内の回路）の例を示す図である。
【０２７５】
以下、画像を表示するサブピクセルとしての駆動を発光駆動（表示駆動）と、外部からの入力を検出するサブピクセルとしての駆動を受光駆動と、適宜称する。
【０２７６】
図３１のサブピクセルが発光駆動を行う場合、データ線からの信号に基づく電流がEL素子に供給されるように、切替部３０１により、トランジスタTr３が切替線を介してオン（導通状態）にされる。
【０２７７】
また、トランジスタTr３の動作に反転して、トランジスタTr４がオフ（非導通状態）にされる。なお、トランジスタTr４には、切替部３０１が、そのオン／オフを制御するための切替線（図示せず）が接続される。
【０２７８】
トランジスタTr３がオンにされている状態でゲート線がアクティブになった場合（ゲート端子に電圧が印加された場合）、トランジスタTr１がオンにされ、データ線を介して供給される電荷がコンデンサＣにチャージされる。
【０２７９】
また、コンデンサＣに電荷がチャージされることで生じる電位差に応じてトランジスタTr２が開放し、トランジスタTr２中を電流（＋Vccに基づく電流）が流れる。このとき、トランジスタTr３がオンにされ、EL素子のカソードがGNDに接続されていることから、トランジスタTr２によって生じた電流がEL素子のアノードに供給され、これによりEL素子が発光する。
【０２８０】
一方、図３１のサブピクセルが受光駆動を行う場合、切替部３０１により、切替線を介してトランジスタTr３がオフにされ、それに反転して、トランジスタTr４がオンにされる。
【０２８１】
トランジスタTr３がオフにされている状態でEL素子に光が入射した場合、上述したように、入射光量に応じてリーク電流IELが生じ、これが、トランジスタTr４を介して増幅回路に供給される。
【０２８２】
リーク電流IELは増幅回路において増幅され、リーク電流IEL’として検出部５３に供給される。
【０２８３】
このように、発光駆動を行うための回路（トランジスタTr１，Tr２、コンデンサＣからなる回路）と受光駆動を行うための回路（トランジスタTr４、増幅回路）のうち、そのときに動作を行う回路を切替線を介して切り替えることによって、サブピクセルの発光駆動と受光駆動の切り替えが行われる。
【０２８４】
図３１に示されるような回路を有するサブピクセルが、表示部１１を構成する１ピクセルに少なくとも１つ設けられ、各ピクセルにおいて、画像の表示と外部からの入力の検出が行われる。
【０２８５】
ここで、図３２のフローチャートを参照して、表示部１１に画像を表示するとともに、その画像を表示する領域とは異なる領域に、外部からの入力を検出可能な読み取り領域を形成し、画像の表示と外部からの入力の検出を行う表示装置１の処理について説明する。
【０２８６】
ステップＳ２０１において、制御部４５は、例えば、ユーザからの指示や、そのとき実行しているアプリケーションに応じて、読み取り領域を形成する範囲、位置等を設定する。
【０２８７】
ここでは、例えば、表示部１１の全面を読み取り領域にすること、表示部１１の所定の範囲のみを読み取り領域にすること、所定の範囲のみが読み取り領域にされる場合の、その位置、および、図２２を参照して説明したように移動する読み取り領域であるのか、といった、読み取り領域に関する各種の設定が行われる。読み取り領域を形成する範囲、位置等を表す情報は、コントローラ４８に出力される。
【０２８８】
ステップＳ２０２において、コントローラ４８は、制御部４５により設定された読み取り領域を形成する範囲、位置等と、画像信号生成部４７から供給されるテレビジョン番組などの画像信号に基づいて、表示部１１の全ての行のうち、所定の数の、発光駆動を行わせる行と受光駆動を行わせる行を選択する。
【０２８９】
ELディスプレイにおいては、所定の数の行をひとまとまりに発光させ、そのひとまとまりの範囲を上から下方向に、例えば、１／６０秒などの表示周波数に従って順次移動させることを繰り返すことで画像の表示が行われるため、ここでは、所定の数の行が発光駆動を行わせる行として選択される。
【０２９０】
ステップＳ２０３において、コントローラ４８は、処理対象の行が発光駆動を行わせる行であるか否かを判定し、発光駆動を行わせる行の処理についてはステップＳ２０４に進む。また、コントローラ４８は、受光駆動を行わせる行の処理についてはステップＳ２０６に進む。
【０２９１】
ステップＳ２０４において、コントローラ４８は、切替部３０１を制御し、発光駆動を行わせる行のサブピクセルのトランジスタTr３（図３１）をオンとし、それとともに、トランジスタTr４をオフにする。これにより、受光駆動を行うための回路（トランジスタTr４、増幅回路からなる回路）とEL素子の接続が遮断される。
【０２９２】
また、コントローラ４８は、ステップＳ２０５において、ゲートドライバ５０を制御してゲート線をアクティブにするとともに、ソースドライバ４９を制御し、表示させる画像に対応する信号をゲート線から発光駆動を行わせるサブピクセルに送る。
【０２９３】
これにより、発光駆動を行うサブピクセルにおいては、トランジスタTr１がオンにされ、データ線を介して供給される電荷がコンデンサＣにチャージされる。また、コンデンサＣに電荷がチャージされることで生じる電位差に応じてトランジスタTr２が開放し、トランジスタTr２により生成された電流によりEL素子が発光する。
【０２９４】
発光駆動を行うものとして選択された行のサブピクセルの全てにおいて、このような処理が行われ、形成される表示領域に画像が表示される。
【０２９５】
一方、コントローラ４８は、ステップＳ２０６において、受光駆動を行わせる行の読み取り領域を形成するサブピクセルのトランジスタTr３を、切替部３０１を制御してオフにし、それに反転して、トランジスタTr４をオンにする。
【０２９６】
この状態でEL素子に外部から光が入射した場合、ステップＳ２０７において、検出部５３は、入射光量に応じて生じるリーク電流IELを増幅して得られるリーク電流IEL’を受光信号として検出する。検出された受光信号は、シンボル処理部５２に出力され、例えば、上述したシンボルを用いてなどの、外部からの入力の検出が行われる。
【０２９７】
ステップＳ２０５における発光駆動、ステップＳ２０７における受光駆動が行われた後、処理はステップＳ２０８に進む。ステップＳ２０８において、表示終了であると判定されるまでステップＳ２０２以降の処理が繰り返され、表示終了であると判定された場合、処理が終了される。
【０２９８】
以上のようにして、図３１の回路の動作が制御され、画像の表示と外部からの入力の検出が行われる。
【０２９９】
図３３Ａ乃至Ｃは、以上の処理によって表示部１１に形成される表示領域（発光駆動を行うピクセル（サブピクセル）からなる領域）と読み取り領域（受光駆動を行うピクセル（サブピクセル）からなる領域）の例を示す図である。
【０３００】
なお、図３３Ａ乃至Ｃの例は、いずれも、表示部１１の表示周波数に相当する、ある１／６０秒間での表示領域と読み取り領域の例を示している。後述する、図３５Ａ乃至Ｃ、図３７Ａ乃至Ｃ、図３９Ａ乃至Ｃについても同様である。
【０３０１】
図３３Ａ乃至Ｃは、表示領域の先頭（第Ｎ行目）と読み取り領域の先頭（第Ｐ行目）が同じ間隔を保持したまま、ともに、白抜き矢印で示されるように上から下方向に移動し、最下行のＹ行目まできたときには、第１行目から下方向に移動することを繰り返すことで表示領域と読み取り領域が形成される場合の例を示している。
【０３０２】
図３３Ａにおいては、読み取り領域は、その縦方向が上から第Ｐ行目を先頭（領域の移動方向の先頭）として第Ｐ−ｑ行目までとされ、横方向が表示部１１の横方向全体と同じになるように形成されている。なお、説明の便宜上、読み取り領域には斜線を付してあるが、発光駆動を行っていないサブピクセルからなる領域であるため、実際には、斜線を含むいずれの画像も表示されない。
【０３０３】
また、表示領域は、その縦方向が上から第Ｎ行目を先頭として第Ｎ−ｍ行目までとされ、横方向が、表示部１１の横方向全体となるように形成されている。
【０３０４】
上述したように、ELディスプレイにおいては、所定の数の行をひとまとまりとして発光させ、そのひとまとまりの範囲を図の白抜き矢印で示されるように上から下方向に順次移動させることを表示周波数に従って繰り返すことで画像の表示が行われており、この例においては、ある１／６０秒間のタイミングで発光駆動を行う行の数がｍとされている。この表示領域が表示周波数に従って順次移動することで１フレームの画像が表示される。
【０３０５】
このように、ある１／６０秒間のタイミングでは、そのとき発光駆動している表示領域により、例えば、図３３Ａのように人物Ｈの一部（顔を中心とする部分）が表示される。なお、表示領域以外の領域は発光駆動していないため、瞬間的には黒が表示される領域である。
【０３０６】
図３３Ｂは、図３３Ａの動作が行われた後の、ある１／６０秒間のタイミングでの表示領域と読み取り領域の例を示している。
【０３０７】
図３３Ｂにおいては、読み取り領域は、その縦方向が、第Ｐ行目（図３３Ａ）から下方にある、上から第Ｐ'行目を先頭として第Ｐ'−ｑ行目までとされ、横方向が表示部１１の横方向全体となるように形成されている。
【０３０８】
また、表示領域は、その縦方向が、第Ｎ行目から下方にある、上から第Ｎ'行目を先頭として第Ｎ'−ｍ行目までとされ、横方向が、表示部１１の横方向全体となるように形成されている。図３３Ｂの表示領域に表示されている人物Ｈは、図３３Ａの表示領域に表示されているものと較べて、表示範囲が下方に切り替わっている。
【０３０９】
図３３Ｃは、図３３Ｂの動作が行われた後の、ある１／６０秒間のタイミングでの表示領域と読み取り領域の例を示している。
【０３１０】
図３３Ｃの例においては、読み取り領域は、その縦方向が、上から第Ｐ''行目を先頭として第Ｐ''−ｑ行目までとされ、横方向が表示部１１の横方向全体となるように形成されている。
【０３１１】
また、表示領域は、その縦方向が、上から第Ｎ''行目を先頭として第Ｎ''−ｍ行目までとされ、横方向が、表示部１１の横方向全体となるように形成されている。図３３Ｃの表示領域に表示されている人物Ｈは、図３３Ｂの表示領域に表示されているものと較べて、表示範囲が下方に切り替わっている。
【０３１２】
このように、読み取り領域の横方向を表示部１１の横方向全体と同じとし、表示周波数に従って読み取り領域の位置を順次切り替える（順次移動させる）ことにより、表示部１１の全体が読み取り領域によりスキャンされることになる。
【０３１３】
従って、この場合、ユーザは、表示部１１のどこにでも、外部から光を照射したりすることで表示装置１に所定の情報を入力することができる。すなわち、ある１／６０秒間ではなく、所定の期間を全体として見た場合、図３４に示されるように、表示部１１の全体に読み取り領域が形成されることになる。
【０３１４】
この場合であっても、ある１／６０秒間においては、読み取り領域とは異なる位置に表示領域が常に形成されていることから、当然、ユーザは、人物Ｈを含む画像の全体を見ることもできる。
【０３１５】
図３５Ａ乃至Ｃは、図３２の処理により形成される表示領域と読み取り領域の他の例を示す図である。
【０３１６】
図３５Ａ乃至Ｃは、読み取り領域の横方向の範囲が制限されている点を除いて、図３３Ａ乃至Ｃと同様に、表示領域の先頭（第Ｎ行目）と、読み取り領域の先頭（第Ｐ行目）が同じ間隔を保持したまま、ともに、白抜き矢印で示されるように上から下に移動し、最下行のＹ行目まできたときには、第１行目からそれを繰り返すことで、表示領域と受光領域が形成される場合の例を示している。
【０３１７】
図３５Ａ乃至Ｃにおいては、受光駆動しているサブピクセルからなる読み取り領域は、その横方向が表示部１１の第Ｌ列目から第Ｌ＋ｓ列目までの範囲になるように形成されている。切替線を介して、サブピクセル毎の駆動を制御することが可能であることから、このように、読み取り領域の横方向の範囲を制限したりすることもできる。
【０３１８】
このように、横方向が制限された読み取り領域の位置が順次移動することにより、表示部１１の第Ｌ列目から第Ｌ＋ｓ列目までの範囲で繰り返しスキャンが行われることになる。
【０３１９】
従って、この場合、ユーザは、第Ｌ列目から第Ｌ＋ｓ列目までの範囲に、外部から光を照射するなどして所定の情報を表示装置１に入力することができる。すなわち、ある１／６０秒間ではなく、所定の期間を全体として見た場合、図３６に示されるように、表示部１１の第Ｌ列目から第Ｌ＋ｓ列目までの範囲に、読み取り領域が形成されることになる。
【０３２０】
図３７Ａ乃至Ｃは、図３２の処理により形成される表示領域と読み取り領域のさらに他の例を示す図である。
【０３２１】
図３７Ａ乃至Ｃにおいては、読み取り領域の上下方向の移動範囲が、第Ｌ'行目から第Ｌ'−ｓ'行目までの範囲内になるように制限されている点を除いて、図３３Ａ乃至Ｃに示すものと同様である。すなわち、図３７Ａ乃至Ｃにおいては、読み取り領域の先頭の行が第Ｌ'行目にきた次の瞬間、第Ｌ' −ｓ'行目を先頭として読み取り領域が形成される。
【０３２２】
このように、読み取り領域の縦方向の移動範囲が第Ｌ'行目から第Ｌ'−ｓ'行目の範囲になるように制限されることにより、表示部１１の第Ｌ'行目から第Ｌ'−ｓ行目の範囲で繰り返しスキャンが行われることになる。
【０３２３】
従って、この場合、ユーザは、第Ｌ'行目から第Ｌ'−ｓ行目の範囲に光を照射するなどして所定の情報を表示装置１に入力することができる。すなわち、ある１／６０秒間ではなく、所定の期間を全体として見た場合、図３８に示されるように、表示部１１の第Ｌ'行目から第Ｌ'−ｓ'行目までの縦方向の範囲に、その横方向を表示部１１の横方向と同じにする読み取り領域が形成されることになる。
【０３２４】
図３９Ａ乃至Ｃは、図３５Ａ乃至Ｃに示されるように横方向の範囲を制限して読み取り領域を形成する動作と、図３７Ａ乃至Ｃに示されるように、その縦方向の移動範囲を制限して読み取り領域を形成する動作とを組み合わせた動作により読み取り領域が形成される場合の例を示す図である。
【０３２５】
すなわち、図３９Ａ乃至Ｃの例においては、図３５Ａ乃至Ｃの場合と同様に、読み取り領域の横方向が、表示部１１の第Ｌ列目から第Ｌ＋ｓ列目の範囲になるように制限され、かつ、読み取り領域の上下方向の移動範囲が、第Ｌ'行目から第Ｌ'−ｓ'行目の範囲になるように制限されている。図３９Ａ乃至Ｃに示される表示領域と読み取り領域は、この点を除いて、図３３Ａ乃至Ｃに示すものと同様である。
【０３２６】
このように、読み取り領域の上下方向の移動範囲と横方向の範囲を制限することにより、表示部１１の第Ｌ列目から第Ｌ＋ｓ列目の範囲であって、第Ｌ'行目から第Ｌ'−ｓ'行目の範囲で繰り返しスキャンが行われることになる。
【０３２７】
従って、この場合、ユーザは、第Ｌ列目から第Ｌ＋ｓ列目の範囲、かつ、第Ｌ'行目から第Ｌ'−ｓ'行目の範囲に光を照射するなどして所定の情報を表示装置１に入力することができる。すなわち、ある１／６０秒間ではなく、所定の期間を全体として見た場合、図４０に示されるように、表示部１１の第Ｌ'行目から第Ｌ'＋ｓ'行目の範囲に、その横方向を第Ｌ列目から第Ｌ＋ｓ列目とする方形の読み取り領域が形成されることになる。
【０３２８】
なお、上述した図２２の読み取り領域（画面全体を移動する読み取り領域）は、このように、図４０の方形の読み取り領域の形成範囲が、各サブピクセルの動作により順次切り替えられることで実現されるものである。
【０３２９】
以上のように、サブピクセル毎に、発光駆動または受光駆動を行わせることが可能であるため、そのときの目的に応じて、位置、範囲（大きさ）、移動させるか否か等を設定し、読み取り領域を形成することが可能になる。また、例えば、図４０に示される方形の読み取り領域が、表示部１１上に同時に複数形成されるように、読み取り領域の数も、アプリケーションなどによる目的に応じて適宜設定可能である。
【０３３０】
以上においては、外部からの光を受光することで所定の情報の入力を検出する場合について説明したが、この受光に関する特性は、EL素子の材料などによって異なるものとなる。
【０３３１】
ここで、EL素子（有機EL素子）の材料と特性について説明する。
【０３３２】
図４１に示されるように、アノードの材料をα、発光層、正孔輸送層、電子輸送層からなる有機層の材料をβ、カソードの材料をγとしてEL素子を生成する場合、その材料の組み合わせによって、EL素子の受光感度は、図４２に示されるようにそれぞれ異なるものとなる。なお、図４２は、発光駆動を行う場合に、赤（Ｒ）を発光するEL素子の特性を示している。図４２の横軸は波長nmを示し、縦軸は受光感度Ａ／Ｗ（光電流（Ａ）／入射光量（Ｗ））を示す。
【０３３３】
図４２において、特性曲線ｌ11は、アノードの材料をα1、有機層の材料をβ1、カソードの材料をγ1とした場合のEL素子の特性を示している。同様に、特性曲線ｌ12は、アノードをα2、有機層をβ2、カソードをγ2とした場合のEL素子の特性を示し、特性曲線ｌ13は、アノードをα3、有機層をβ3、カソードをγ3とした場合のEL素子の特性を示している。
【０３３４】
また、特性曲線ｌ14は、アノードをα4、有機層をβ4、カソードをγ4とした場合のEL素子の特性を示し、特性曲線ｌ15は、アノードをα5、有機層をβ5、カソードをγ5とした場合のEL素子の特性を示し、特性曲線ｌ16は、アノードをα6、有機層をβ6、カソードをγ6とした場合のEL素子の特性を示している。
【０３３５】
このように、材料の組み合わせによりEL素子の受光感度の特性が異なるものになることがわかる。また、図４２からは、赤を発光するEL素子は、特に、３９０nmに近い波長の紫外の光や、５００nm近傍の波長の緑の光に対する受光感度が高いことがわかる。
【０３３６】
従って、外部から所定の情報を入力するときに照射する光としては、紫外線を用いることが好ましい。例えば、情報処理端末２１のリーダライタ２４を利用して、表示装置１に情報を入力する場合、リーダライタ２４にシンボル（２次元コード）を表示させるための光源として、紫外線を出射する光源を用いることにより、発光駆動を行っているときには赤を発光するEL素子に対して（図４２の受光感度を有するEL素子に対して）、より確実に情報を入力することができる。
【０３３７】
また、図４３に示されるように、受光側のディスプレイＡと発光側（表示側）のディスプレイＢを対向させて所定の情報を入力する場合、あるピクセルＰ1のうちのＲのサブピクセルに受光駆動を行わせ、それに対向する位置にある、ピクセルＰ2のＧのサブピクセルに発光駆動を行わせることにより、より確実に、外部からの光の検出をさせること、すなわち、ディスプレイＢからディスプレイＡに情報を入力することができる。このような駆動も、それぞれのディスプレイにおいて、上述したように切替線を介して回路の駆動を切り替えることにより実現することができる。
【０３３８】
さらに、表示装置１が、自分自身が出射した光の反射光を検出することで、例えば、ユーザが指を表示部１１の表面に近接させたことを検出し、それに基づいて所定の処理を行うようになされている場合、図４４に示されるように、ユーザの指Ｆに光を照射するサブピクセルは緑（Ｇ）を発光するサブピクセルSP11とし、サブピクセルSP11から出射された光の反射光（指Ｆで反射された光）を受光するサブピクセルは、サブピクセルSP11の近傍にある、赤（Ｒ）のサブピクセルSP12（発光駆動を行うときには赤を発光するサブピクセル）とするのが好ましい。
【０３３９】
また、サブピクセルSP11とサブピクセルSP12の間隔が近いほど、指Ｆが近接されたことをより確実に検出することができるため、例えば、サブピクセルSP11がある第Ｙ1行目とサブピクセルSP12がある第Ｙ2行目の間隔は数行間隔とされる。
【０３４０】
また、図４５に示されるように、ユーザの指Ｆを検出する方形の読み取り領域が表示部１１の上から第Ｙ11行目から第Ｙ12行目に形成されている場合、その位置の近傍にある、例えば、図の斜線で示されるような上下の範囲Ａ1，Ａ2のピクセルが、緑を発光するように動作することにより、より確実に、ユーザの入力（指Ｆが近づけられたこと）を検出することができる。
【０３４１】
なお、指Ｆだけでなく、図４６に示されるように、所定の反射率を有する物体Ｏを表示部１１の表面に近づけることによっても、ユーザは、表示装置１に情報を入力することができる（物体Ｏを近づけたことを検出させることができる）。これにより、例えば、表示部１１に表示されている物と同じ物を表示部１１に近づけることで情報を入力するといった、直感的な操作が可能になる。
【０３４２】
これらの近接されたものの検出も、切替線を介して回路の駆動を切り替え、ある行のサブピクセルに受光駆動を行わせ、その近傍のサブピクセルに発光駆動を行わせることにより実現することが可能である。
【０３４３】
また、同様に、出射した光の反射光を表示装置１に検出させることで、ユーザは、指が近接されているか否かなどの、点で検出できる情報だけでなく、表示部１１の表面に当接させた指の指紋などの所定の面情報を入力することもできる。
【０３４４】
図４７は、あるタイミングにおける、表示部１１（ディスプレイ）の断面と、表示部１１の表面に触れているユーザの指Ｆを示す図である。また、図４８は、図４７の状態の外観を示す図である。
【０３４５】
このように、サブピクセルSP11を含む、発光駆動を行う第Ｙ1行目にあるサブピクセル（Ｇ）からなる発光領域から出射した光の反射光を、その近傍のサブピクセルSP12を含む、受光駆動を行う第Ｙ2行目にあるサブピクセル（Ｒ）からなる読み取り領域で受光することにより、表示装置１は、そのとき発光領域が照射している指Ｆの横方向の情報（図４７の点線で囲われる部分の紙面方向の凹凸の有無）を取得することができる。
【０３４６】
また、発光駆動を行うサブピクセルの行と、受光駆動を行うサブピクセルの行の位置関係を保持しつつ、図４８の白抜き矢印で示されるように、ともに下方向に移動させ、それぞれのタイミングで取得される横方向の情報（時分割で取得される情報）を合成することにより、表示装置１は、ユーザが表示部１１に当接している指Ｆの指紋全体の情報を取得することができる。
【０３４７】
図４９Ａは、図４７、図４８に示されるように、第Ｙ1行目のＧのサブピクセルを発光させ、その反射光を第Ｙ2行目のＧのサブピクセルで受光させたときの、受光駆動を行っている各サブピクセルで発生された受光信号の出力（アナログ値）を示す図である。図４９Ａにおいて、横軸は、図４８の横方向の位置に対応し、第Ｙ2行目にあるサブピクセルの位置を表す。また、縦軸は、第Ｙ2行目にあるサブピクセルのそれぞれの受光信号線の出力を表す。
【０３４８】
図４９Ｂは、図４９Ａの点線で示される閾値以上の出力を１と、閾値以下の出力を０として図４９Ａの各サブピクセルにおける出力をディジタル値で表したものである。
【０３４９】
図４８の白抜き矢印で示されるように発光領域と読み取り領域をともに下方向に移動させることにより、図４９ＡおよびＢに示されるような出力が、発光領域が照射する位置毎に得られることになる。従って、それぞれの位置で取得された出力を合成することにより、表示装置１は、指Ｆの表面全体の凹凸の情報を取得することができ、指紋を検出することが可能になる。
【０３５０】
なお、図４９Ｂに示されるように、指紋情報を「１」、「０」で２値化するのではなく、図４９Ａと同じ図５０Ａの出力が取得された場合、図５０Ｂに示されるように、各サブピクセルの出力に所定の数のビットを割り当て、ディジタル値の出力に階調を持たせることも可能である。
【０３５１】
表示部１１においては、各サブピクセルの動作を切り替えることができるため、例えば、図５１に示されるように、指紋を検出している位置の近傍に指紋表示領域３１１を形成し、その指紋表示領域３１１に、既に検出された行の指紋から順に、指紋の画像を表示させるようにしてもよい。これにより、ユーザは、指紋の検出が行われていることを直感的に確認することができる。
【０３５２】
当然、指紋表示領域３１１を形成し、そこに検出済みの指紋の画像を表示するのではなく、ユーザが指Ｆを当接しているその位置に、検出済みの指紋の画像を順次表示させるようにしてもよい。受光駆動を行い、指紋の検出を終えた行のサブピクセルから順次発光駆動を行わせ、指紋の画像を表示させるように駆動することにより、このような、検出を行う位置にその検出結果を表示することも可能である。
【０３５３】
また、上述したような、近接されたもの、または接触しているものの情報を取得するのと同様に、所定の数のサブピクセルに受光駆動を行わせることにより、表示装置１の前方にある対象を撮像することもできる。
【０３５４】
図５２は、受光駆動を行うサブピクセルにより撮像を行う場合の概念を示す図である。
【０３５５】
例えば、第Ｙ1行目乃至第Ｙ1＋Ｋ行目のＲのサブピクセルに切替線を介して受光駆動を行わせ、それらのサブピクセルに撮像対象の像を結ぶレンズを表示部１１（ディスプレイ）の表面などに設けることにより、受光駆動を行っているサブピクセルの受光信号から対象の撮像を行うことができる。
【０３５６】
図５３Ａは、図５２の第Ｙ1行目にあるサブピクセルのそれぞれにおいて検出される受光信号のアナログ値での出力を示し、図５３Ｂは、第Ｙ1＋Ｋ行目にあるサブピクセルのそれぞれにおいて検出される受光信号のアナログ値での出力を示している。
【０３５７】
また、図５４Ａは、図５３Ａの出力をディジタル値に変換したものであり、図５４Ｂは、図５３Ｂの出力をディジタル値に変換したものである。このような出力を、第Ｙ1行目乃至第Ｙ1＋Ｋ行目のそれぞれについて検出し、それらを合成することにより、表示装置１の前方にある撮像対象の画像を取得することができる。
【０３５８】
また、撮像結果を、撮像が行われた直後に表示部１１に表示させることにより、ユーザは、迅速に、かつ容易に撮像結果を確認することができる。
【０３５９】
以上のように、受光駆動を行っているサブピクセルにおいては、可視光を検出することが可能である。従って、例えば、図５５に示されるように、赤などの可視光を出射可能なレーザポインタ３２１（一般的に普及しているレーザポインタ）を用いても表示装置１に情報を入力することができる。
【０３６０】
図５５の表示部１１にはテレビジョン番組の予約画面が表示されており、そこに、チャンネル選択ボタン３３１が表示されている。
【０３６１】
チャンネル選択ボタン３３１（１，３，４，６，８，１０，１２チャンネルのボタン）は、例えば、表示部１１の表示周波数に従って発光駆動と受光駆動を交互に行うようになされており、受光駆動を行っている瞬間にレーザポインタ３２１からの光が照射されることにより、表示装置１は、レーザポインタ３２１からの入力を検出することができる。
【０３６２】
図５５の例においては、「６チャンネル」を選択されたことが検出される。なお、この場合、レーザポインタ３２１は、単に、レーザポインタ３２１の表面に設けられるボタンが押下された場合にオンの信号を出力し、それ以外の期間は出力をオフにする、図５６に示されるような信号を出力可能なレーザポインタで実現することが可能である。
【０３６３】
また、図５７のレーザポインタ３２１が、図５８に示されるような、所定のデータを表す可視光を出射することが可能なもの（データを変調し、それに対応する光（オン／オフ）を所定の周波数で出力可能なもの）である場合、表示部１１に形成されるデータ入力用窓３３１に対してレーザポインタ３２１を用いてデータを入力することができる。このデータ入力用窓３３１（読み取り領域）は、受光駆動を行っているサブピクセルから形成されるものである。
【０３６４】
以上においては、Ｇのサブピクセルに発光駆動を行わせ、その近傍にあるＲのサブピクセルに受光駆動を行わせて、表示部１１の表面に近接している物体の有無などを検出することについて主に説明したが、発光駆動を行うサブピクセルと受光駆動を行うサブピクセルの組み合わせは、その組み合わせ（ＧとＲの組み合わせ）に限られるものではない。
【０３６５】
すなわち、上述したように、EL素子の電極と有機層の材料により受光駆動を行うサブピクセルの受光感度の特性が異なるため、発光駆動を行うサブピクセルと受光駆動を行うサブピクセルの組み合わせは、発光駆動を行うサブピクセルと、そのサブピクセルから出射された光に対する受光感度が高いサブピクセルの組み合わせであれば、どのようなサブピクセルの組み合わせでもよい。
【０３６６】
上述した一連の処理は、ハードウェアにより実行させることもできるが、ソフトウェアにより実行させることもできる。
【０３６７】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【０３６８】
この記録媒体は、図１０に示されるように、装置本体とは別に、ユーザにプログラムを提供するために配布される、プログラムが記録されている磁気ディスク１３１（フレキシブルディスクを含む）、光ディスク１３２（CD-ROM(Compact Disk-Read Only Memory)，DVD(Digital Versatile Disk)を含む）、光磁気ディスク１３３（MD（登録商標）(Mini-Disk)を含む）、もしくは半導体メモリ１３４などよりなるパッケージメディアにより構成されるだけでなく、装置本体に予め組み込まれた状態でユーザに提供される、プログラムが記録されているROMや、記憶部１１８に含まれるハードディスクなどで構成される。
【０３６９】
なお、本明細書において、各ステップは、記載された順序に従って時系列的に行われる処理はもちろん、必ずしも時系列的に処理されなくとも、並列的あるいは個別に実行される処理をも含むものである。
【０３７０】
また、本明細書において、システムとは、複数の装置により構成される装置全体を表すものである。
【図面の簡単な説明】
【０３７１】
【図１】本発明を適用した情報処理システムの構成例を示す図である。
【図２】本発明を適用した情報処理システムの構成例を示す他の図である。
【図３】図１の表示装置の構成例を示すブロック図である。
【図４】図３の表示部を構成する画素の詳細を示す図である。
【図５】図３の表示部を構成する画素の詳細を示す他の図である。
【図６】図４および図５の画素において検出される電流値の計測結果の例を示す図である。
【図７】図６の０Ｖ近傍を拡大して示す図である。
【図８】TFTにおいて検出される電流値の計測結果の例を示す図である。
【図９】シンボル列の例を示す図である。
【図１０】図１のリーダライタの構成例を示すブロック図である。
【図１１】表示装置のデータ転送処理を説明するフローチャートである。
【図１２】図１１の処理に対応して実行される、情報処理端末のデータ取得処理を説明するフローチャートである。
【図１３】表示装置から情報処理端末に対して転送されるデータの例を示す図である。
【図１４】情報処理端末のデータ転送処理を説明するフローチャートである。
【図１５】図１４の処理に対応して実行される、表示装置のデータ取得処理を説明するフローチャートである。
【図１６】情報処理端末から表示装置に対して転送されるデータの例を示す図である。
【図１７】情報処理端末のデータ転送処理を説明するフローチャートである。
【図１８】図１７の処理に対応して実行される、表示装置のデータ取得処理を説明するフローチャートである。
【図１９】図１７の処理に対応して実行される、表示装置の他のデータ取得処理を説明するフローチャートである。
【図２０】情報処理端末から表示装置に対してデータが転送されたときの表示の例を示す図である。
【図２１】図１７の処理に対応して実行される、表示装置のさらに他のデータ取得処理を説明するフローチャートである。
【図２２】読み取り領域の移動の例を示す図である。
【図２３】図２２の読み取り領域においてデータの転送が行われたときの表示の例を示す図である。
【図２４】図２２の表示装置のデータ取得処理を説明するフローチャートである。
【図２５】情報処理端末の外観構成の例を示す図である。
【図２６】表示装置の外観構成の例を示す図である。
【図２７】情報処理端末の外観構成の他の例を示す図である。
【図２８】図１のリーダライタの他の構成例を示す図である。
【図２９】表示装置の他の構成例を示すブロック図である。
【図３０】図２９の表示部に接続される信号線の例を示す図である。
【図３１】図２９の表示部を構成するサブピクセルに配設される回路の例を示す図である。
【図３２】表示装置の処理を説明するフローチャートである。
【図３３】図３２の処理により形成される領域の例を示す図である。
【図３４】図３３の読み取り領域の範囲を示す図である。
【図３５】図３２の処理により形成される領域の他の例を示す図である。
【図３６】図３５の読み取り領域の範囲を示す図である。
【図３７】図３２の処理により形成される領域のさらに他の例を示す図である。
【図３８】図３７の読み取り領域の範囲を示す図である。
【図３９】図３２の処理により形成される領域の例を示す図である。
【図４０】図３９の読み取り領域の範囲を示す図である。
【図４１】EL素子の断面を示す図である。
【図４２】EL素子の受光感度特性を示す図である。
【図４３】データの入力を行う表示装置とデータの検出を行う表示装置を示す図である。
【図４４】入力の検出例について示す図である。
【図４５】図４４の検出における、好適な発光領域の範囲を示す図である。
【図４６】入力の検出例について示す他の図である。
【図４７】面情報の検出について示す図である。
【図４８】図４７の外観を示す図である。
【図４９】図４７、図４８の検出におけるアナログ値の出力を示す図である。
【図５０】図４７、図４８の検出におけるディジタル値の出力を示す図である。
【図５１】検出済みのデータの表示例を示す図である。
【図５２】表示装置を用いての撮像について示す図である。
【図５３】図５２の撮像におけるアナログ値の出力を示す図である。
【図５４】図５２の撮像におけるディジタル値の出力を示す図である。
【図５５】入力の検出例を示す図である。
【図５６】図５５のレーザポインタの出力を示す図である。
【図５７】入力の他の検出例を示す図である。
【図５８】図５７のレーザポインタの出力を示す図である。
【符号の説明】
【０３７２】
１  表示装置，  １１  表示部，  １３  シンボル，  ２１  情報処理端末，  ２４  リーダライタ，  ３１  読み取り領域，  ４５  制御部，  ４８  コントローラ，  ５１  データ処理部，  ５２  シンボル処理部，  ５３  検出部，  １１１  画像信号生成部，  １１２  シンボル処理部，  １１３  データ処理部，  １１４  制御部，  １３１  磁気ディスク，  １３２  光ディスク，  １３３  光磁気ディスク，  １３４  半導体メモリ，  ３０１  切替部
【図１】
2005266427.tif 000003
【図２】
2005266427.tif 000004
【図３】
2005266427.tif 000005
【図４】
2005266427.tif 000006
【図５】
2005266427.tif 000007
【図６】
2005266427.tif 000008
【図７】
2005266427.tif 000009
【図８】
2005266427.tif 000010
【図９】
2005266427.tif 000011
【図１０】
2005266427.tif 000012
【図１１】
2005266427.tif 000013
【図１２】
2005266427.tif 000014
【図１３】
2005266427.tif 000015
【図１４】
2005266427.tif 000016
【図１５】
2005266427.tif 000017
【図１６】
2005266427.tif 000018
【図１７】
2005266427.tif 000019
【図１８】
2005266427.tif 000020
【図１９】
2005266427.tif 000021
【図２０】
2005266427.tif 000022
【図２１】
2005266427.tif 000023
【図２２】
2005266427.tif 000024
【図２３】
2005266427.tif 000025
【図２４】
2005266427.tif 000026
【図２５】
2005266427.tif 000027
【図２６】
2005266427.tif 000028
【図２７】
2005266427.tif 000029
【図２８】
2005266427.tif 000030
【図２９】
2005266427.tif 000031
【図３０】
2005266427.tif 000032
【図３１】
2005266427.tif 000033
【図３２】
2005266427.tif 000034
【図３３】
2005266427.tif 000035
【図３４】
2005266427.tif 000036
【図３５】
2005266427.tif 000037
【図３６】
2005266427.tif 000038
【図３７】
2005266427.tif 000039
【図３８】
2005266427.tif 000040
【図３９】
2005266427.tif 000041
【図４０】
2005266427.tif 000042
【図４１】
2005266427.tif 000043
【図４２】
2005266427.tif 000044
【図４３】
2005266427.tif 000045
【図４４】
2005266427.tif 000046
【図４５】
2005266427.tif 000047
【図４６】
2005266427.tif 000048
【図４７】
2005266427.tif 000049
【図４８】
2005266427.tif 000050
【図４９】
2005266427.tif 000051
【図５０】
2005266427.tif 000052
【図５１】
2005266427.tif 000053
【図５２】
2005266427.tif 000054
【図５３】
2005266427.tif 000055
【図５４】
2005266427.tif 000056
【図５５】
2005266427.tif 000057
【図５６】
2005266427.tif 000058
【図５７】
2005266427.tif 000059
【図５８】
2005266427.tif 000060